(57)【要約】実施形態に従って、許可不要伝送における初期伝送を決定するための方法、デバイス、及びシステムが開示される。ＵＥは、許可不要（ＧＦ）伝送のためのリソース設定を受け取る。リソース設定は、周期性パラメータ（Ｐ）と、繰り返し回数（Ｋ）と、１つ以上のＲＶタイプに対応するリダンダンシバージョン（ＲＶ）番号の連続とを有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられる。ＵＥは、周期性パラメータによって定義された周期内のＫ回のＴＯのうちのあるＴＯにおいて、データの初期ＧＦ伝送を実行する。そのＴＯは、ＲＶ０に対応するＲＶ番号と関連付けられている。
2021505084.tif 000002
【特許請求の範囲】
【請求項１】
ユーザ機器（ＵＥ）によって許可不要（ＧＦ）伝送のためのリソース設定を受け取ることであり、該リソース設定は、周期性パラメータ（Ｐ）、繰り返し回数（Ｋ）、及び１つ以上のＲＶタイプに対応するリダンダンシバージョン（ＲＶ）番号の連続を有し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取ることと、
前記ＵＥによって、前記周期性パラメータによって定義された前記周期内の前記Ｋ回のＴＯのうちの、ＲＶ０に対応するＲＶ番号と関連付けられたＴＯにおいて、データの初期ＧＦ伝送を行うことと
を有する方法。
【請求項２】
前記ＲＶ番号の連続は、｛０，３，０，３｝を有し、前記連続の中の０は、ＲＶ０に対応し、前記連続の中の３は、ＲＶ３に対応する、
請求項１に記載の方法。
【請求項３】
前記Ｋ回のＴＯは、連続的又は離散的である、
請求項１又は２に記載の方法。
【請求項４】
前記ＵＥは、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１乃至３のうちいずれか一項に記載の方法。
【請求項５】
Ｋは、２、４、又は８である、
請求項１乃至４のうちいずれか一項に記載の方法。
【請求項６】
前記ＲＶ番号の連続のサイズは、４であり、
前記Ｋ回のＴＯのうちのｎ番目のＴＯは、前記ＲＶ番号の連続のうちの（ｎ  ｍｏｄ  ４）番目のＲＶ番号と関連付けられ、
ｎは、０以上の整数であり、ｎは、Ｋ−１以下である、
請求項１乃至５のうちいずれか一項に記載の方法。
【請求項７】
ユーザ機器（ＵＥ）によって許可不要（ＧＦ）伝送のためのリソース設定を受け取ることであり、該リソース設定は、周期性パラメータ（Ｐ）、繰り返し回数（Ｋ）、及び｛０，２，３，１｝を有するリダンダンシバージョン（ＲＶ）番号の連続を有し、前記連続の中の０はＲＶ０に対応し、前記連続の中の１はＲＶ１に対応し、前記連続の中の２はＲＶ２に対応し、前記連続の中の３はＲＶ３に対応し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取ることと、
前記ＵＥによって、前記ＲＶ番号の連続のうちのあるＲＶ番号に対応するＲＶを用いて、前記周期性パラメータによって定義された前記周期内の前記Ｋ回のＴＯのうちのあるＴＯにおいて、データの初期ＧＦ伝送を行うことであり、前記ＲＶは、前記ＲＶ番号の連続のサイズ及び前記Ｋ回のＴＯの位置に基づく、前記行うことと
を有する方法。
【請求項８】
Ｋは、４よりも小さい整数であり、
前記あるＴＯは、当該ＴＯにおいて前記データの前記ＧＦ伝送のために使用される前記ＲＶに対応する前記ＲＶ番号の連続のうちの（ｎ  ｍｏｄ  ４）番目のＲＶ番号と関連付けられた前記Ｋ回のＴＯのうちのｎ番目のＴＯであり、
ｎは、０以上の整数であり、ｎは、Ｋ−１以下である、
請求項７に記載の方法。
【請求項９】
前記Ｋ回のＴＯは、連続的又は離散的である、
請求項７又は８に記載の方法。
【請求項１０】
前記ＵＥは、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項７乃至９のうちいずれか一項に記載の方法。
【請求項１１】
Ｋは、２又は４である、
請求項７乃至１０のうちいずれか一項に記載の方法。
【請求項１２】
プロセッサと、
前記プロセッサによって実行されるプログラミングを記憶している非一時的なコンピュータ可読記憶媒体と
を有し、
前記プログラミングは、
許可不要（ＧＦ）伝送のためのリソース設定を受け取る命令であり、該リソース設定は、周期性パラメータ（Ｐ）、繰り返し回数（Ｋ）、及び１つ以上のＲＶタイプに対応するリダンダンシバージョン（ＲＶ）番号の連続を有し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取る命令と、
前記周期性パラメータによって定義された前記周期内の前記Ｋ回のＴＯのうちの、ＲＶ０に対応するＲＶ番号と関連付けられたＴＯにおいて、データの初期ＧＦ伝送を行う命令と
を含む、
ユーザ機器（ＵＥ）。
【請求項１３】
前記ＲＶ番号の連続は、｛０，３，０，３｝を有し、前記連続の中の０は、ＲＶ０に対応し、前記連続の中の３は、ＲＶ３に対応する、
請求項１２に記載のＵＥ。
【請求項１４】
前記Ｋ回のＴＯは、連続的又は離散的である、
請求項１２又は１３に記載のＵＥ。
【請求項１５】
前記ＵＥは、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１２乃至１４のうちいずれか一項に記載のＵＥ。
【請求項１６】
Ｋは、２、４、又は８である、
請求項１２乃至１５のうちいずれか一項に記載のＵＥ。
【請求項１７】
前記ＲＶ番号の連続のサイズは、４であり、
前記Ｋ回のＴＯのうちのｎ番目のＴＯは、前記ＲＶ番号の連続のうちの（ｎ  ｍｏｄ  ４）番目のＲＶ番号と関連付けられ、
ｎは、０以上の整数であり、ｎは、Ｋ−１以下である、
請求項１２乃至１６のうちいずれか一項に記載のＵＥ。
【請求項１８】
プロセッサと、
前記プロセッサによって実行されるプログラミングを記憶している非一時的なコンピュータ可読記憶媒体と
を有し、
前記プログラミングは、
許可不要（ＧＦ）伝送のためのリソース設定を受け取る命令であり、該リソース設定は、周期性パラメータ（Ｐ）、繰り返し回数（Ｋ）、及び｛０，２，３，１｝を有するリダンダンシバージョン（ＲＶ）番号の連続を有し、前記連続の中の０はＲＶ０に対応し、前記連続の中の１はＲＶ１に対応し、前記連続の中の２はＲＶ２に対応し、前記連続の中の３はＲＶ３に対応し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取る命令と、
前記ＲＶ番号の連続のうちのあるＲＶ番号に対応するＲＶを用いて、前記周期性パラメータによって定義された前記周期内の前記Ｋ回のＴＯのうちのあるＴＯにおいて、データの初期ＧＦ伝送を行う命令であり、前記ＲＶは、前記ＲＶ番号の連続のサイズ及び前記Ｋ回のＴＯの位置に基づく、前記行う命令と
を含む、
ユーザ機器（ＵＥ）。
【請求項１９】
Ｋは、４よりも小さい整数であり、
前記あるＴＯは、当該ＴＯにおいて前記データの前記ＧＦ伝送のために使用される前記ＲＶに対応する前記ＲＶ番号の連続のうちの（ｎ  ｍｏｄ  ４）番目のＲＶ番号と関連付けられた前記Ｋ回のＴＯのうちのｎ番目のＴＯであり、
ｎは、０以上の整数であり、ｎは、Ｋ−１以下である、
請求項１８に記載のＵＥ。
【請求項２０】
前記Ｋ回のＴＯは、連続的又は離散的である、
請求項１８又は１９に記載のＵＥ。
【請求項２１】
前記ＵＥは、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１８乃至２０のうちいずれか一項に記載のＵＥ。
【請求項２２】
Ｋは、２又は４である、
請求項１８乃至２１のうちいずれか一項に記載のＵＥ。
【請求項２３】
プログラムを記憶しており、該プログラムがユーザ機器（ＵＥ）で実行される場合に、請求項１乃至１１のうちいずれか一項に記載の方法が実行される、コンピュータ可読媒体。
【請求項２４】
ユーザ機器（ＵＥ）で実行される場合に、請求項１乃至１１のうちいずれか一項に記載の方法が実行される、プログラム。
【発明の詳細な説明】
【技術分野】
【０００１】
本開示は、無線通信に、特定の実施形態では、許可不要伝送における初期伝送を決定するための方法、デバイス、及びシステムに関係がある。
【背景技術】
【０００２】
いくつかの無線通信システムにおいて、ユーザ機器（ＵＥ）は、データを基地局へ送信しかつ／あるいはデータを基地局から受信するよう、基地局と無線で通信する。ＵＥから基地局への無線通信は、アップリンク通信と呼ばれる。基地局からＵＥへの無線通信は、ダウンリンク通信と呼ばれる。
【０００３】
アップリンク及びダウンリンク通信を行うためには、リソースが必要とされる。例えば、ＵＥは、特定の周波数でかつ／あるいは特定の時間スロットの間にアップリンク伝送において基地局へデータを無線で送信し得る。使用される周波数及び時間スロットは、リソースの例である。
【０００４】
いくつかの無線通信システムにおいて、ＵＥがデータを基地局へ送信したい場合に、ＵＥは、基地局にアップリンクリソースを要求する。基地局はアップリンクリソースを許可し、次いで、ＵＥは、許可されたアップリンクリソースを用いてアップリンク伝送を送信する。基地局によって許可され得るアップリンクリソースの例は、アップリンク直交周波数分割多重アクセス（ＯＦＤＭＡ）における時間−周波数位置の組である。
【０００５】
基地局がアップリンクリソースをＵＥに具体的に許可しているので、基地局は、許可されたアップリンクリソースを用いてアップリンク伝送を送信するＵＥの身元を知っている。しかし、もしあれば、どのＵＥが、又はいつＵＥが、特定のアップリンクリソースを用いてアップリンク伝送を送信しようとしているかを基地局が知らないスキームが存在することがある。そのようなスキームの一例は、ＵＥが、リソースの使用を特に要求することなく、かつ、基地局によってリソースを動的に許可されることなく、ＵＥによって共有されている特定のアップリンクリソースを用いてアップリンク伝送を送信し得る許可不要アップリンク伝送スキームである。従って、基地局は、もしあれば、どのＵＥが、又はいつＵＥが、事前設定されたリソースを用いて許可不要アップリンク伝送を送信するつもりであったかを知り得ない。許可なし、許可不要ランダムアクセス、設定許可伝送、事前設定許可伝送、（事前）設定自律、設定許可タイプ１、設定許可タイプ２、動的スケジューリングによらない伝送など、複数の用語が、許可不要伝送と同じスキームを意味するために使用され得る。
【発明の概要】
【０００６】
ユーザ機器（ＵＥ）が無線システムにおける許可不要伝送での初期伝送タイミング及び初期伝送リダンダンシバージョン（ＲＶ）を決定するための方法及びシステムが、開示される。
【０００７】
本開示の第１態様では、無線システムにおける許可不要伝送での初期伝送の方法が提供される。方法は、ユーザ機器によって、リダンダンシバージョン（ＲＶ）シーケンスを受け取ることと、ユーザ機器によって、ＲＶシーケンスに従って伝送機会において、伝送されるべきデータの第１バージョンを送信することとを有し、伝送されるべきデータの第１バージョンの初期伝送は、独立して復号化可能又は自己復号化可能である方法でデータ符号化のためのＲＶスキーム（例えば、ＲＶ０）を用いて実行される。この方法によれば、従来のシステムと比べて、レイテンシは低減可能である。
【０００８】
第１態様の方法の第１実施形態で、データの第１バージョンは、ＲＶ０若しくはＲＶ３又は任意の自己復号化可能なリダンダンシバージョン又は前記伝送されるべきデータの任意のリダンダンシバージョンである。
【０００９】
第１態様の方法の第２実施形態で、許可不要伝送のための伝送機会は、次に利用可能な伝送機会である。
【００１０】
第１態様の方法の第３実施形態で、許可不要伝送のための次に利用可能な伝送機会は、ＲＶシーケンスに従ってＲＶ０若しくはＲＶ３又は任意の自己復号化可能なリダンダンシバージョン又は前記伝送されるべきデータの任意のリダンダンシバージョンを送るよう割り当てられた機会である。
【００１１】
第１態様の方法の第４実施形態で、許可不要伝送のための次に利用可能な伝送機会は、ＲＶシーケンスの１つの要素が自己復号化可能でない場合に、レプリションバンドルの最初の伝送機会である。
【００１２】
第１態様の方法の第５実施形態で、次に利用可能な伝送機会は、ＲＶシーケンスの全ての要素が自己復号化可能である場合に、レプリションバンドルのいずれかの伝送機会である。
【００１３】
本開示の第２態様では、第１の態様で無線システムにおける許可不要伝送での初期伝送を行う方法を実装するユーザ機器が、提供される。
【００１４】
実施形態に従って、許可不要伝送における初期伝送を決定するための方法、デバイス、及びシステムが提供される。ＵＥは、許可不要（ＧＦ）伝送のためのリソース設定を受け取る。リソース設定は、周期性パラメータ（Ｐ）と、繰り返し回数（Ｋ）と、１つ以上のＲＶタイプに対応するリダンダンシバージョン（ＲＶ）番号の連続とを有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられる。ＵＥは、周期性パラメータによって定義された周期内のＫ回のＴＯのうちのあるＴＯにおいて、データの初期ＧＦ伝送を実行する。そのＴＯは、ＲＶ０に対応するＲＶ番号と関連付けられている。
【００１５】
実施形態に従って、ＵＥは、許可不要（ＧＦ）伝送のためのリソース設定を受け取る。リソース設定は、周期性パラメータ（Ｐ）、繰り返し回数（Ｋ）、及び｛０，２，３，１｝を有するリダンダンシバージョン（ＲＶ）番号の連続を有する。連続の中の０はＲＶ０に対応し、前記連続の中の１はＲＶ１に対応し、前記連続の中の２はＲＶ２に対応し、前記連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００１６】
本発明及びその利点のより完全な理解のために、これより、添付の図面とあわせて以下の説明が参照される。
【図面の簡単な説明】
【００１７】
【図１】実施形態に従う通信システムを示す。
【図２Ａ】例となる無線通信デバイスを示す。
【図２Ｂ】例となる基地局を示す。
【図３Ａ】開始点がＲＶシーケンスに基づく実施形態を例示する。
【図３Ｂ】開始点がＲＶシーケンスに基づく実施形態を例示する。
【図３Ｃ】開始点がＲＶシーケンスに基づく実施形態を例示する。
【図３Ｄ】開始点がＲＶシーケンスに基づく実施形態を例示する。
【図３Ｅ】開始点がＲＶシーケンスに基づく実施形態を例示する。
【図３Ｆ】開始点がＲＶシーケンスに基づく実施形態を例示する。
【図３Ｇ】開始点がＲＶシーケンスに基づく実施形態を例示する。
【図３Ｈ】開始点がＲＶシーケンスに基づく実施形態を例示する。
【図３Ｉ】開始点がＲＶシーケンスに基づく実施形態を例示する。
【図４Ａ】開始点がＴＯにおけるＲＶに基づく実施形態を例示する。
【図４Ｂ】開始点がＴＯにおけるＲＶに基づく実施形態を例示する。
【図４Ｃ】開始点がＴＯにおけるＲＶに基づく実施形態を例示する。
【図４Ｄ】開始点がＴＯにおけるＲＶに基づく実施形態を例示する。
【図４Ｅ】開始点がＴＯにおけるＲＶに基づく実施形態を例示する。
【図４Ｆ】開始点がＴＯにおけるＲＶに基づく実施形態を例示する。
【図４Ｇ】開始点がＴＯにおけるＲＶに基づく実施形態を例示する。
【図４Ｈ】開始点がＴＯにおけるＲＶに基づく実施形態を例示する。
【図４Ｉ】開始点がＴＯにおけるＲＶに基づく実施形態を例示する。
【図４Ｊ】開始点がＴＯにおけるＲＶに基づく実施形態を例示する。
【図４Ｋ】開始点がＴＯにおけるＲＶに基づく実施形態を例示する。
【図５Ａ】開始点がタイマ及び繰り返しの回数に基づいて決定される実施形態を例示する。
【図５Ｂ】開始点がタイマ及び繰り返しの回数に基づいて決定される実施形態を例示する。
【図６Ａ】実施形態に従って、初期許可不要伝送の決定のための方法のフローチャートを示す。
【図６Ｂ】実施形態に従って、初期許可不要伝送の決定のための方法のフローチャートを示す。
【図７Ａ】実施形態に従って、初期許可不要伝送の決定のための方法のフローチャートを示す。
【図７Ｂ】実施形態に従って、初期許可不要伝送の決定のための方法のフローチャートを示す。
【図８】コンピュータシステムの例を示す。
【図９】処理システムの実施形態のブロック図を表す。
【図１０】トランシーバの実施形態のブロック図を表す。
【発明を実施するための形態】
【００１８】
図１は、例となる通信システム１００を表す。一般に、システム１００は、複数の無線又は有線ユーザがデータ及び他のコンテンツを送信及び受信することを可能にする。システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、又はシングルキャリアＦＤＭＡ（ＳＣ−ＦＤＭＡ）などの１つ以上のチャネルアクセス方法を実装してよい。
【００１９】
この例で、通信システム１００は、電子機器（ＥＤ）１１０ａ〜１１０ｃ、ラジオ・アクセス・ネットワーク（ＲＡＮ）１２０ａ〜１２０ｂ、コアネットワーク１３０、公衆交換電話網（ＰＳＴＮ）１４０、インターネット１５０、及び他のネットワーク１６０を含む。これらの構成要素又は要素は図１では特定の数だけ示されているが、これらの構成要素又は要素はいくつでもシステム１００に含まれてよい。
【００２０】
ＥＤ１１０ａ〜１１０ｃは、システム１００において動作及び／又は通信するよう構成される。例えば、ＥＤ１１０ａ〜１１０ｃは、無線又は有線通信チャネルを介して送信及び／又は受信するよう構成される。各ＥＤ１１０ａ〜１１０ｃは、任意の適切なエンドユーザデバイスを表し、ユーザ機器／デバイス（ＵＥ）、無線送信／受信ユニット（ＷＴＲＵ）、移動局、固定若しくは移動加入者ユニット、携帯電話機、パーソナル・デジタル・アシスタント（ＰＤＡ）、スマートフォン、ラップトップ、コンピュータ、タッチパッド、無線センサ、又はコンシューマエレクトロニクスデバイスなどのデバイスを含み得る（あるいは、そのように呼ばれることがある）。
【００２１】
ＲＡＮ１２０ａ〜１２０ｂは、ここでは、夫々、基地局１７０ａ〜１７０ｂを含む。各基地局１７０ａ〜１７０ｂは、コアネットワーク１３０、ＰＳＴＮ１４０、インターネット１５０、及び／又は他のネットワーク１６０へのアクセスを可能にするようにＥＤ１１０ａ〜１１０ｃの１つ以上と無線でインターフェイス接続するよう構成される。例えば、基地局１７０ａ〜１７０ｂは、ベーストランシーバ局（ＢＴＳ）、ノードＢ（ＮｏｄｅＢ）、エボルブド・ノードＢ（ｅＮｏｄｅＢ）、ホームＮｏｄｅＢ、ホームｅＮｏｄｅＢ、サイトコントローラ、アクセス・ポイント（ＡＰ）、無線ルータ、又は送受信点（ＴＲＰ）などのいくつかのよく知られたデバイスの１つ以上を含んでよい（又はそれであってよい）。ＥＤ１１０ａ〜１１０ｃは、インターネット１５０とインターフェイス接続し通信するよう構成され、コアネットワーク１３０、ＰＳＴＮ１４０、及び／又は他のネットワーク１６０にアクセスし得る。
【００２２】
図１に示される実施形態では、基地局１７０ａは、ＲＡＮ１２０ａの部分を形成し、ＲＡＮ１２０ａは、他の基地局、要素、及び／又はデバイスを含んでもよい。また、基地局１７０ｂは、ＲＡＮ１２０ｂの部分を形成し、ＲＡＮ１２０ｂは、他の基地局、要素、及び／又はデバイスを含んでもよい。各基地局１７０ａ〜１７０ｂは、「セル」と時々呼ばれる特定の地理的範囲内で無線信号を送信及び／又は受信するよう動作する。いくつかの実施形態では、セルごとに複数のトランシーバを備える多入力多出力（ＭＩＭＯ）技術が用いられてもよい。
【００２３】
基地局１７０ａ〜１７０ｂは、無線通信リンクを用いて１つ以上のエアインターフェイス１９０を介してＥＤ１１０ａ〜１１０ｃの１つ以上と通信する。エアインターフェイス１９０は、如何なる適切なラジオアクセス技術も利用してよい。
【００２４】
システム１００は、上記のようなスキームを含む多重チャネルアクセス機能を使用してよい。特定の実施形態では、基地局及びＥＤは、ＬＴＥ、ＬＴＥ−Ａ、及び／又はＬＴＥ−Ｂを実装する。当然、他の多重アクセススキーム及び無線プロトコルが利用されてもよい。
【００２５】
ＲＡＮ１２０ａ〜１２０ｂは、ＥＤ１１０ａ〜１１０ｃに音声、データ、アプリケーション、ボイス・オーバー・インターネット・プロトコル（ＶｏＩＰ）、又は他のサービスを提供するようコアネットワーク１３０と通信する。理解できるように、ＲＡＮ１２０ａ〜１２０ｂ及び／又はコアネットワーク１３０は、１つ以上の他のＲＡＮ（図示せず）と直接的又は間接的に通信してよい。コアネットワーク１３０は、他のネットワーク（例えば、ＰＳＴＮ１４０、インターネット１５０、及び他のネットワーク１６０）のためのゲートウェイアクセスとしての役割も果たし得る。その上、ＥＤ１１０ａ〜１１０ｃの一部又は全ては、異なる無線技術及び／又はプロトコルを用いて異なる無線リンク上で異なる無線ネットワークと通信する機能を含んでもよい。無線通信の代わりに（又はそれに加えて）、ＥＤは、サービスプロバイダ又はスイッチ（図示せず）に対して及びインターネット１５０に対して有線通信チャネルを介して通信してもよい。
【００２６】
図１には通信システムの一例が表されているが、様々な変更が図１に対して行われてよい。例えば、通信システム１００は、如何なる適切な構成でもＥＤ、基地局、ネットワーク、又は他の構成要素をいくつでも含んでよい。
【００２７】
図２Ａ及び２Ｂは、本開示に従う方法及び技術を実装し得るデバイスの例を表す。特に、図２Ａは、例となるＥＤ１１０を表し、図２Ｂは、例となる基地局１７０を表す。これらの構成要素は、システム１００で、又は任意の他の適切なシステムで、使用されてよい。
【００２８】
図２Ａに示されるように、ＥＤ１１０は、少なくとも１つのプロセッサ２００を含む。プロセッサ２００は、ＥＤ１１０の様々な処理動作を実装する。例えば、プロセッサ２００は、信号符号化、データ処理、電力制御、入出力処理、又はＲＦ１１０がシステム１００で動作することを可能にする他の機能を実行してよい。プロセッサ２００はまた、先により詳細に記載された方法及び教示をサポートする。各プロセッサ２００は、１つ以上の動作を実行するよう構成された如何なる適切な処理又は計算デバイスも含む。各プロセッサ２００は、例えば、マイクロプロセッサ、マイクロコントローラ、デジタル信号プロセッサ、フィールド・プログラマブル・ゲート・アレイ、又は特定用途向け集積回路を含んでよい。
【００２９】
ＥＤ１１０はまた、少なくとも１つのトランシーバ２０２を含む。トランシーバ２０２は、少なくとも１つのアンテナ又はＮＩＣ（Network  Interface  Controller）２０４による伝送のためにデータ又は他のコンテンツを変調するよう構成される。トランシーバ２０２はまた、少なくとも１つのアンテナ２０４によって受信されたデータ又は他のコンテンツを復調するよう構成される。各トランシーバ２０２は、無線若しくは有線伝送のための信号を生成し及び／又は無線若しくは有線で受信された信号を処理する如何なる適切な構造も含む。各アンテナ２０４は、無線又は有線信号を送信及び／又は受信する如何なる適切な構造も含む。１つ以上のトランシーバ２０２がＥＤ１１０で使用されてよく、１つ以上のアンテナ２０４がＥＤ１１０で使用されてよい。単一の機能ユニットとして示されているが、トランシーバ２０２は、少なくとも１つの送信器と少なくとも１つの別個の受信器とを用いて実装されてもよい。
【００３０】
ＥＤ１１０は、１つ以上の入出力デバイス２０６又はインターフェイス（例えば、インターネット１５０への有線インターフェイス）を更に含む。入出力デバイス２０６は、ネットワーク内のユーザ又は他のデバイス（ネットワーク通信）とのインタラクションを助ける。各入出力デバイス２０６は、ネットワークインターフェイス通信を含め、スピーカ、マイクロホン、キーパッド、キーボード、ディスプレイ、又はタッチスクリーンなどのユーザへ情報を供給し及び／又はユーザからの情報を受信／供給する如何なる適切な構造も含む。
【００３１】
加えて、ＥＤ１１０は、少なくとも１つのメモリ２０８を含む。メモリ２０８は、ＥＤ１１０によって使用、生成、又は収集される命令及びデータを記憶する。例えば、メモリ２０８は、プロセッサ２００によって実行されるソフトウェア又はファームウェア命令と、入来信号における干渉を低減又は除去するために使用されるデータとを記憶してよい。各メモリ２０８は、如何なる適切な揮発性及び／又は不揮発性ストレージ並びに読み出し装置も含む。ランダム・アクセス・メモリ（ＲＡＭ）、リード・オンリー・メモリ（ＲＯＭ）、ハードディスク、光ディスク、加入者識別モジュール（ＳＩＭ）カード、メモリスティック、セキュアデジタル（ＳＤ）メモリカード、などのような、如何なる適切なタイプのメモリも使用されてよい。
【００３２】
図２Ｂに示されるように、基地局１７０は、少なくとも１つのプロセッサ２５０と、送信器及び受信器の機能を含む少なくとも１つのトランシーバ２５２と、少なくとも１つのアンテナ２５６と、少なくとも１つのメモリ２５８と、少なくとも１つの入出力デバイス又はインターフェイス２６６とを含む。当業者によって理解されるだろうスケジューラ２５３がプロセッサ２５０へ結合されている。スケジューラ２５３は、基地局１７０内に含まれるか、あるいは、それは別に動作してよい。プロセッサ２５０は、信号符号化、データ処理、電力制御、入出力処理、又はあらゆる他の機能などの、基地局１７０の様々な処理動作を実装してよい。プロセッサ２５０はまた、先により詳細に記載された方法及び教示をサポートすることができる。各プロセッサ２５０は、１つ以上の動作を実行するよう構成された如何なる適切な処理又は計算デバイスも含む。各プロセッサ２５０は、例えば、マイクロプロセッサ、マイクロコントローラ、デジタル信号プロセッサ、フィールド・プログラマブル・ゲート・アレイ、又は特定用途向け集積回路を含んでよい。
【００３３】
各トランシーバ２５２は、１つ以上のＥＤ又は他のデバイスへの無線又は有線伝送のために信号を生成する如何なる適切な構造も含む。各トランシーバ２５２は、１つ以上のＥＤ又は他のデバイスから無線又は有線で受信された信号を処理する如何なる適切な構造も更に含む。トランシーバ２５２として結合されて示されているが、送信器及び受信器は別個のコンポーネントであってもよい。各アンテナ２５６は、無線又は有線信号を送信及び／又は受信する如何なる適切な構造も含む。共通のアンテナ２５６が、ここでは、トランシーバ２５２へ結合されるものとして示されているが、１つ以上のアンテナ２５６がトランシーバ２５２へ結合されてもよく、別個のコンポーネントとして装備される場合に送信器及び受信へ別々のアンテナ２５６が結合されることを可能にする。各メモリ２５８は、如何なる適切な揮発性及び／又は不揮発性ストレージ並びに読み出し装置も含む。各入出力デバイス２６６は、ネットワーク内のユーザ又は他のデバイス（ネットワーク通信）とのインタラクションを助ける。各入出力デバイス２６６は、ネットワークインターフェイス通信を含め、ユーザへ情報を供給し及び／又はユーザからの情報を受信／供給する如何なる適切な構造も含む。
【００３４】
図２ＡのようなＥＤ又は図２Ｂのような基地局のいずれにおいても、メモリは、プロセッサがハードウェアによって、例えば、集積回路又は論理回路を使用して実装される場合に、プロセッサと一体化され得る。
【００３５】
いくつかの実施形態で、ユーザ機器（ＵＥ）は、ラジオ・リソース・コントロール（ＲＲＣ）信号を受信してよい。ＲＲＣ信号は、周期性パラメータ（Ｐ）、繰り返し（Ｋ，初期伝送を含む）又は再送、及び繰り返し（Ｋ）又は再送のためのリダンダンシバージョン（ＲＶ）シーケンスを有する少なくとも許可不要リソースを特定し得る。他の実施形態では、このようなＲＶシーケンスは、ダウンリンク制御情報（ＤＣＩ）信号によって設定可能である。周期内の繰り返しは、同じ伝送ブロック（ＴＢ）の伝送のために適用され得る。
【００３６】
リソース設定は、独立してＰ及びＫを考慮することによって行われ得る。許可不要伝送のためのリソース設定の１つの方法は、Ｐが初期伝送機会を決定し、一方、Ｋ−１回の繰り返しが直ちに又は繰り返しの間に一定の時間距離をもって初期伝送に続くことができることである。設定されたＲＶシーケンスは、Ｋ回の繰り返し伝送機会と関連付けられ得る。例えば、ＲＶ０は、初期伝送機会と関連付けられ、ＲＶ１は、繰り返しの中の第２伝送と関連付けられる、など。基本的に、ＲＶシーケンスは、繰り返しと順次に関連付けられ（ＫがＲＶシーケンス長さよりも長い場合には、何度も繰り返され）る。
【００３７】
いくつかの実施形態で、許可不要リソースを設定する１つのスキームは、ＵＥ特有の繰り返しパラメータ値（Ｋ）に関連したＰ値を更に考慮することである。例えば、Ｐは、Ｐ＞Ｋの制約をもってその周期性粒度によって決定可能であり、Ｋ−１回の繰り返しは、利用可能な時間周波数リソースを用いて直ちに初期伝送に続くことができる。いくつかの設計課題は、ＵＥのトラフィック到着が１つの初期伝送機会を逃す場合にＵＥがどのような挙動をするようサポートされるのか、ＵＥが次の初期伝送機会を待つ可能性があるのかどうか、又はＵＥが（Ｋ−１）回の繰り返し伝送機会のうちのいずれかで正しく伝送する可能性があるかどうかに関係がある。他の技術的な設計課題は、自己復号化可能でないか又は復号化されることが難しいＲＶによりどのようにして基地局がデータを復号化するかに関係がある。上記の技術的な設計課題を解消するよう、本開示の実施形態は、許可不要伝送における初期伝送を決定するための技術を提供する。いくつかの実施形態で、ＵＥは、許可不要（ＧＦ）伝送のためのリソース設定を受け取る。リソース設定は、周期性パラメータ（Ｐ）と、繰り返し回数（Ｋ）と、１つ以上のＲＶタイプに対応するリダンダンシバージョン（ＲＶ）番号の連続とを有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられる。ＵＥは、周期性パラメータによって定義された周期内のＫ回のＴＯのうちのあるＴＯにおいて、データの初期ＧＦ伝送を行う。そのＴＯは、ＲＶ０に対応するＲＶ番号と関連付けられている。他の実施形態では、ＵＥは、許可不要（ＧＦ）伝送のためのリソース設定を受け取る。リソース設定は、周期性パラメータ（Ｐ）と、繰り返し回数（Ｋ）と、｛０，２，３，１｝を有するリダンダンシバージョン（ＲＶ）番号の連続とを有する。連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。伝送されるべきデータの第１バージョンの初期伝送が、独立して復号化可能又は自己復号化可能である方法でデータ符号化のためのＲＶスキーム（例えば、ＲＶ０）を用いて実行されることを可能にすることによって、開示される実施形態は、従来のシステムと比べてレイテンシを低減することを助ける。そうすることにおいて、開示される技術は、許可不要伝送の実行を改善し、許可不要伝送のためにリソースをより効率的に利用する。
【００３８】
ＵＥは、ダウンリンク制御情報（ＤＣＩ）信号を待たずに、許可不要（ＧＦ）アップリンク（ＵＬ）伝送を実行し得る。しかし、ＵＥのトラフィック到着は如何なる時点でもあり得るので、ＵＥは、Ｐによって（事前）設定された１つの初期伝送機会を逃すことなるパケット到着を有する可能性がある。ＵＥが、続く繰り返し機会において、機会と関連付けられているＲＶにより伝送を行う場合に、あるＲＶシーケンスについて、これらのＲＶの一部又は全ては、ＲＶ０（ＲＶ０は、通常は自己復号化可能である）なしで自己復号化可能でないことがある。異なるリダンダンシバージョン（ＲＶ）番号によれば、チャネル符号化のレートマッチング出力ビットシーケンスは異なる。全てのＲＶが自己復号化可能であるわけではない（すなわち、それは、特定のＲＶの出力ビットシーケンスにより情報ビットを回復することができない）。例えば、ＲＶ番号は、０、１、２、又は３であることができる。あるチャネル符号設計によれば、ＲＶ０が自己復号化可能である。他のチャネル符号設計によれば、ＲＶ０及びＲＶ３が自己復号化可能である。結果として、ＵＥトラフィック到着が１つの初期伝送機会を逃すが、ＲＶシーケンスが全て自己復号化可能である（例えば、｛０，０，０，０｝のＲＶシーケンス）場合に、ＵＥは、最も早い利用可能な繰り返し伝送機会においてパケットを正しく伝送することができる。そうでない場合には、ＵＥは、次に利用可能な初期伝送機会を待つ必要がある。即座の伝送を行うべきか、それとも、次の初期伝送機会を待つべきか否かは、どのＲＶシーケンスがＵＥに対して設定されているかに依存する。
【００３９】
いくつかの実施形態で、設定のために使用される３つのＲＶシーケンスオプションが存在し、３つのオプションは、シーケンス１（｛０，２，３，１｝）、シーケンス２（｛０，３，０，３｝）、及びシーケンス３（｛０，０，０，０｝）を含む。第１のオプション、ＲＶシーケンス１が設定される場合に、ＵＥは、ＵＥが１つの初期伝送機会を逃すならば、そのパケット伝送のために次の初期伝送機会を待ち、そうでない場合には、全てのＲＶが自己復号化可能であり、ＵＥは、如何なる繰り返し伝送機会でもデータ伝送を開始する。
【００４０】
いくつかの実施形態で、設定のために使用される３つのＲＶシーケンスオプション、すなわち、シーケンス１（｛０，２，３，１｝）、シーケンス２（｛０，３，０，３｝）、及びシーケンス３（｛０，０，０，０｝）が存在する。第１のＲＶシーケンス１又は第２のＲＶシーケンス２が設定される場合に、１つの初期伝送機会を逃すならば、ＵＥは、そのパケット伝送のために次の初期伝送機会を待ち、そうでない場合には、全てのＲＶが自己復号化可能であり、ＵＥは、如何なる繰り返し伝送機会でもデータ伝送を開始する。
【００４１】
いくつかの実施形態で、ＵＥは、設定されたＲＶシーケンスと結び付けずに、如何なる繰り返し伝送機会でもデータ伝送を開始することができる。この場合に、基地局は、ＲＶが事前の関連付けによって知られているので、可能なＨＡＲＱソフトコンバイニングにより全ての受信信号を記憶する。
【００４２】
他の実施形態では、ＵＥは、初期伝送機会から常にデータ伝送を開始することができる。初期伝送機会がトラフィック到着時に逃される場合に、ＵＥは次の初期伝送機会を待つ。
【００４３】
許可不要（ＧＦ）アップリンク（ＵＬ）伝送は、リソース周期性（Ｐ）及び繰り返し（Ｋ）により設定され得る。周期Ｐ内で、同じＴＢの伝送のためにＫ回の繰り返しが存在し得る。
【００４４】
Ｋ（すなわち、繰り返し）が使用される場合に、ＵＥは、４つの異なるＲＶバージョンをサポートすることを例としながら、次の３つのリダンダンシバージョン（ＲＶ）シーケンスのうちの１つにより設定され得る：
・シーケンス１：｛０，２，３，１｝
・シーケンス２：｛０，３，０，３｝、又は
・シーケンス３：｛０，０，０，０｝。
ここで、０、１、２、及び３は、リダンダンシバージョン番号であり、一般に、夫々、ＲＶ０、ＲＶ１、ＲＶ２、及びＲＶ３と記述され得る。
【００４５】
異なるＲＶ番号によれば、レートマッチング出力ビットシーケンスは異なる。全てのＲＶ自己復号化可能であるわけではない（それは、特定のＲＶの出力ビットシーケンスにより情報ビットを回復することができない）。
【００４６】
ＵＬ許可なしのＵＬ伝送の場合に、ＵＥが｛０，２，３，１｝のＲＶシーケンスにより設定される場合を除いて、ＴＢのＫ回の繰り返しの初期伝送は、周期Ｐ内の如何なる伝送機会（ＴＯ）でも開始可能であり、繰り返しは、周期Ｐ内の最後の伝送機会で終了する。
【００４７】
ＵＥが｛０，２，３，１｝のＲＶシーケンスにより設定される場合に、伝送ブロック（ＴＢ）のＫ回の繰り返しの初期伝送は、周期内の最初のＴＯで開始すべきである。ＲＶシーケンスは、繰り返しバンドルの最初の伝送機会から開始し、ＵＥは、繰り返しが起こる伝送機会に基づいて、繰り返しごとにＲＶ値を決定する。初期伝送のために使用されるＲＶは、次のように決定される：周期内のｎ番目の伝送機会は、ＲＶシーケンスのうちのｍｏｄ（ｎ，４）番目のＲＶである。
【００４８】
許可不要伝送の場合に、特定のリダンダンシバージョンのみが受信されることが可能である。図３Ａ〜３Ｉは、開始点（すなわち、初期伝送タイミング（又はＴＯ））がＲＶシーケンスに基づいて決定されるところのいくつかの例となる実施形態を示す。伝送されるべきデータの第１ＲＶは、初期伝送ＴＯにおいて送信される。
【００４９】
図３Ａで、Ｋが２に等しく、ＲＶシーケンスが｛０，２，３，１｝であるよう設定されるとき、伝送の開始点は、周期内の最初のＴＯのみであることができる。例えば、パケット到着３１０のためのデータの伝送の開始点は、周期３０２のＴＯ＝０であることができるが、周期３０２のＴＯ＝１であることはできない。パケット到着３１２のためのデータの伝送の開始点は、周期３０４のＴＯ＝０であることができるが、周期３０２のＴＯ＝１又は周期３０４のＴＯ＝１であることはできない。
【００５０】
図３Ｂで、Ｋが２に等しく、ＲＶシーケンスが｛０，３，０，３｝であるよう設定されるとき、伝送の開始点は、周期内のいずれのＴＯでもあることができる。
【００５１】
図３Ｃで、Ｋが２に等しく、ＲＶシーケンスが｛０，０，０，０｝であるよう設定されるとき、伝送の開始点は、周期内のいずれのＴＯでもあることができる。
【００５２】
図３Ｄで、Ｋが４に等しく、ＲＶシーケンスが｛０，２，３，１｝であるよう設定されるとき、伝送の開始点は、周期内の最初のＴＯのみであることができる。
【００５３】
図３Ｅで、Ｋが４に等しく、ＲＶシーケンスが｛０，３，０，３｝であるよう設定されるとき、伝送の開始点は、周期内のいずれのＴＯでもあることができる。
【００５４】
図３Ｆで、Ｋが４に等しく、ＲＶシーケンスが｛０，０，０，０｝であるよう設定されるとき、伝送の開始点は、周期内のいずれのＴＯでもあることができる。
【００５５】
図３Ｇで、Ｋが８に等しく、ＲＶシーケンスが｛０，２，３，１｝であるよう設定されるとき、伝送の開始点は、周期内の最初のＴＯのみであることができる。
【００５６】
図３Ｈで、Ｋが８に等しく、ＲＶシーケンスが｛０，３，０，３｝であるよう設定されるとき、伝送の開始点は、周期内のいずれのＴＯでもあることができる。
【００５７】
図３Ｉで、Ｋが８に等しく、ＲＶシーケンスが｛０，０，０，０｝であるよう設定されるとき、伝送の開始点は、周期内のいずれのＴＯでもあることができる。
【００５８】
図４Ａ〜４Ｋは、開始点（すなわち、初期伝送タイミング（又はＴＯ））がＴＯでのＲＶに基づき決定されるところのいくつかの例となる実施形態を示す。伝送されるべきデータの第１ＲＶは、初期伝送ＴＯにおいて送信される。
【００５９】
図４Ａで、Ｋが２に等しく、ＲＶシーケンスが｛０，２，３，１｝であるよう設定されるとき、伝送の開始点は、ＲＶ０を有するＴＯ（すなわち、周期内の最初のＴＯ）のみであることができる。例えば、パケット到着４０８のためのデータの伝送の開始点は、周期４０２のＴＯ＝０であることができるが、周期３０２のＴＯ＝１であることはできない。パケット到着４１０のためのデータの伝送の開始点は、周期４０４のＴＯ＝０であることができるが、周期４０２のＴＯ＝１又は周期４０４のＴＯ＝１であることはできない。パケット到着４１２のためのデータの伝送の開始点は、周期４０４のＴＯ＝０であることができるが、周期４０４のＴＯ＝１であることはできない。
【００６０】
図４Ｂで、Ｋが２に等しく、ＲＶシーケンスが｛０，３，０，３｝であるよう設定されるとき、伝送の開始点は、ＲＶ０を有するＴＯ（すなわち、周期内の最初のＴＯ）のみであることができる。
【００６１】
図４Ｃで、Ｋが２に等しく、ＲＶシーケンスが｛０，３，０，３｝であるよう設定されるとき、伝送の開始点は、ＲＶ０又はＲＶ３を有するＴＯで（すなわち、周期内のいずれのＴＯでも）あることができる。
【００６２】
図４Ｄで、Ｋが２に等しく、ＲＶシーケンスが｛０，０，０，０｝であるよう設定されるとき、伝送の開始点は、ＲＶ０を有するＴＯのみで（すなわち、周期内のいずれのＴＯでも）あることができる。
【００６３】
図４Ｅで、Ｋが４に等しく、ＲＶシーケンスが｛０，２，３，１｝であるよう設定されるとき、伝送の開始点は、ＲＶ０を有するＴＯ（すなわち、周期内の最初のＴＯ）のみであることができる。
【００６４】
図４Ｆで、Ｋが４に等しく、ＲＶシーケンスが｛０，２，３，１｝であるよう設定されるとき、伝送の開始点は、ＲＶ０又はＲＶ３を有するＴＯ（すなわち、周期内の最初又は３番目のＴＯ）のみであることができる。
【００６５】
図４Ｇで、Ｋが４に等しく、ＲＶシーケンスが｛０，３，０，３｝であるよう設定されるとき、伝送の開始点は、ＲＶ０を有するＴＯ（すなわち、周期内の最初又は３番目のＴＯ）のみであることができる。
【００６６】
図４Ｈで、Ｋが４に等しく、ＲＶシーケンスが｛０，３，０，３｝であるよう設定されるとき、伝送の開始点は、ＲＶ０又はＲＶ３を有するＴＯで（すなわち、周期内のいずれのＴＯでも）あることができる。
【００６７】
図４Ｉで、Ｋが４に等しく、ＲＶシーケンスが｛０，０，０，０｝であるよう設定されるとき、伝送の開始点は、ＲＶ０を有するＴＯのみで（すなわち、周期内のいずれのＴＯでも）あることができる。
【００６８】
図４Ｊで、Ｋが８に等しく、ＲＶシーケンスが｛０，２，３，１｝であるよう設定されるとき、伝送の開始点は、ＲＶ０を有するＴＯ（すなわち、周期内の最初又は５番目のＴＯ）のみであることができる。
【００６９】
図４Ｋで、Ｋが８に等しく、ＲＶシーケンスが｛０，２，３，１｝であるよう設定されるとき、伝送の開始点は、ＲＶ０又はＲＶ３を有するＴＯ（すなわち、周期内の最初、３番目、５番目、又は７番目のＴＯ）のみであることができる。
【００７０】
図５Ａ〜５Ｂは、開始点（すなわち、初期伝送タイミング（又はＴＯ））がタイマ及び繰り返しの数に基づき決定されるところのいくつかの例となる実施形態を示す。伝送されるべきデータの第１ＲＶは、初期伝送ＴＯにおいて送信される。
【００７１】
図５Ａで、遅延センシティブなトラフィックの場合に、１つ以上の遅延タイマが存在し得る。遅延タイマは、パケットが到着するときに起動する。タイマ値は、パケットの対応する要件に関連する。各パケットの伝送は、対応する遅延タイマが経過するときに終了する。繰り返しはまた、ＡＣＫ又は許可が伝送中に受信される場合に早く終了され得る。
【００７２】
図５Ｂで、いつＵＥが伝送を開始しようとも、繰り返しの数は４である。繰り返しはまた、ＡＣＫ又は許可が伝送中に受信される場合に早く終了され得る。
【００７３】
図６Ａは、いくつかの実施形態に従って、初期許可不要伝送の決定のための方法６００のフローチャートを表す。方法６００は、図１のＥＤ１１０のようなＵＥによって実行又は実施されてよい。方法６００はまた、ＵＥの１つ以上のプロセッサによって実行されるソフトウェアのルーチン、サブルーチン、又はモジュールによって実行又は実施されてもよい。方法６００を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。ＵＥの１つ以上のプロセッサによって実行可能なソフトウェアのコンピュータ可読コード又は命令は、例えば、ＵＥのメモリなどの、非一時的なコンピュータ可読媒体に記憶されてよい。
【００７４】
方法６００は、動作６０２から開始し、このとき、ＵＥは、許可不要（ＧＦ）伝送のためのリソース設定を受け取る。リソース設定は、周期性パラメータ（Ｐ）と、繰り返し回数（Ｋ）と、及び１つ以上のＲＶタイプに対応するリダンダンシバージョン（ＲＶ）番号の連続を有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００７５】
いくつかの実施形態で、ＲＶ番号の連続は、｛０，３，０，３｝を有する。ここで、連続の中の０は、ＲＶ０に対応し、連続の中の３は、ＲＶ３に対応する。Ｋ回のＴＯは、連続的又は離散的である
【００７６】
いくつかの実施形態で、ＲＶ番号の連続のサイズは、４である。Ｋ回のＴＯのうちのｎ番目のＴＯは、ＲＶ番号の連続のうちの（ｎ  ｍｏｄ  ４）番目のＲＶ番号と関連付けられている。ここで、ｎは、０以上の整数であり、ｎは、Ｋ−１以下である。
【００７７】
動作６０４で、ＵＥは、周期性パラメータによって定義された周期内のＫ回のＴＯのうちのあるＴＯにおいて、データの初期ＧＦ伝送を行う。そのＴＯは、ＲＶ０に対応するＲＶ番号と関連付けられている。
【００７８】
いくつかの実施形態で、ＵＥは、データの多くてもＫ回のＧＦ伝送のためにデータの１回以上の新たな初期ＧＦ伝送を実行する。あるいは、ＵＥは、周期性パラメータによって定義された周期内のＫ回のＴＯのうちの最後のＴＯでデータの１回以上の新たな初期ＧＦ伝送を終了する。Ｋは、２、４、又は８である。
【００７９】
図６Ｂは、いくつかの実施形態に従って、初期許可不要伝送の決定のための方法６５０のフローチャートを表す。方法６５０は、図１のＥＤ１１０のようなＵＥによって実行又は実施されてよい。方法６５０はまた、ＵＥの１つ以上のプロセッサによって実行されるソフトウェアのルーチン、サブルーチン、又はモジュールによって実行又は実施されてもよい。方法６５０を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。ＵＥの１つ以上のプロセッサによって実行可能なソフトウェアのコンピュータ可読コード又は命令は、例えば、ＵＥのメモリなどの、非一時的なコンピュータ可読媒体に記憶されてよい。
【００８０】
方法６５０は、動作６５２から開始し、このとき、ＵＥは、許可不要（ＧＦ）伝送のためのリソース設定を受け取る。リソース設定は、周期性パラメータ（Ｐ）と、繰り返し回数（Ｋ）と、｛０，２，３，１｝を有するリダンダンシバージョン（ＲＶ）番号の連続とを有する。ここで、連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００８１】
いくつかの実施形態で、Ｋは、４よりも小さい整数である。ＴＯは、そのＴＯにおいてデータのＧＦ伝送のために使用されるＲＶに対応するＲＶ番号の連続のうちの（ｎ  ｍｏｄ  ４）番目のＲＶ番号と関連付けられたＫ回のＴＯのうちのｎ番目のＴＯである。ｎは、０以上の整数であり、ｎは、Ｋ−１以下である。Ｋ回のＴＯは、連続的又は離散的である。
【００８２】
動作６５４で、ＵＥは、ＲＶ番号の連続のうちのあるＲＶ番号に対応するＲＶを用いて、周期性パラメータによって定義された周期内のＫ回のＴＯのうちのあるＴＯにおいて、データの初期ＧＦ伝送を行う。ＲＶは、ＲＶ番号の連続のサイズ及びＫ回のＴＯの位置に基づく。
【００８３】
いくつかの実施形態で、ＵＥは、データの多くてもＫ回のＧＦ伝送のためにデータの１回以上の新たな初期ＧＦ伝送を実行する。あるいは、ＵＥは、周期性パラメータによって定義された周期内のＫ回のＴＯのうちの最後のＴＯでデータの１回以上の新たな初期ＧＦ伝送を終了する。
【００８４】
図７Ａは、いくつかの実施形態に従って、初期許可不要伝送の決定のための方法７００のフローチャートを表す。方法７００は、図１の基地局１７０のような基地局によって実行又は実施されてよい。方法７００はまた、基地局の１つ以上のプロセッサによって実行されるソフトウェアのルーチン、サブルーチン、又はモジュールによって実行又は実施されてもよい。方法７００を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。基地局の１つ以上のプロセッサによって実行可能なソフトウェアのコンピュータ可読コード又は命令は、例えば、ＵＥのメモリなどの、非一時的なコンピュータ可読媒体に記憶されてよい。
【００８５】
方法７００は、動作７０２から開始し、このとき、基地局は、許可不要（ＧＦ）伝送のためのリソース設定を送る。リソース設定は、周期性パラメータ（Ｐ）と、繰り返し回数（Ｋ）と、及び１つ以上のＲＶタイプに対応するリダンダンシバージョン（ＲＶ）番号の連続を有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００８６】
いくつかの実施形態で、ＲＶ番号の連続は、｛０，３，０，３｝を有する。ここで、連続の中の０は、ＲＶ０に対応し、連続の中の３は、ＲＶ３に対応する。Ｋ回のＴＯは、連続的又は離散的である
【００８７】
いくつかの実施形態で、ＲＶ番号の連続のサイズは、４である。Ｋ回のＴＯのうちのｎ番目のＴＯは、ＲＶ番号の連続のうちの（ｎ  ｍｏｄ  ４）番目のＲＶ番号と関連付けられている。ここで、ｎは、０以上の整数であり、ｎは、Ｋ−１以下である。
【００８８】
動作７０４で、基地局は、周期性パラメータによって定義された周期内のＫ回のＴＯのうちのあるＴＯにおいて、データの初期ＧＦ伝送を受信する。そのＴＯは、ＲＶ０に対応するＲＶ番号と関連付けられている。
【００８９】
いくつかの実施形態で、基地局は、データの多くてもＫ回のＧＦ伝送のためにデータの１回以上の新たな初期ＧＦ伝送を受信する。あるいは、データの１回以上の新たな初期ＧＦ伝送は、周期性パラメータによって定義された周期内のＫ回のＴＯのうちの最後のＴＯで終了されてよい。Ｋは、２、４、又は８である。
【００９０】
図７Ｂは、いくつかの実施形態に従って、初期許可不要伝送の決定のための方法７５０のフローチャートを表す。方法７５０は、図１の基地局１７０のような基地局によって実行又は実施されてよい。方法７５０はまた、基地局の１つ以上のプロセッサによって実行されるソフトウェアのルーチン、サブルーチン、又はモジュールによって実行又は実施されてもよい。方法７５０を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。基地局の１つ以上のプロセッサによって実行可能なソフトウェアのコンピュータ可読コード又は命令は、例えば、ＵＥのメモリなどの、非一時的なコンピュータ可読媒体に記憶されてよい。
【００９１】
方法７５０は、動作７５２から開始し、このとき、基地局は、許可不要（ＧＦ）伝送のためのリソース設定を送る。リソース設定は、周期性パラメータ（Ｐ）と、繰り返し回数（Ｋ）と、｛０，２，３，１｝を有するリダンダンシバージョン（ＲＶ）番号の連続とを有する。ここで、連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００９２】
いくつかの実施形態で、Ｋは、４よりも小さい整数である。ＴＯは、そのＴＯにおいてデータのＧＦ伝送のために使用されるＲＶに対応するＲＶ番号の連続のうちの（ｎ  ｍｏｄ  ４）番目のＲＶ番号と関連付けられたＫ回のＴＯのうちのｎ番目のＴＯである。ｎは、０以上の整数であり、ｎは、Ｋ−１以下である。Ｋ回のＴＯは、連続的又は離散的である。
【００９３】
動作７５４で、基地局は、ＲＶ番号の連続のうちのあるＲＶ番号に対応するＲＶを用いて、周期性パラメータによって定義された周期内のＫ回のＴＯのうちのあるＴＯにおいて、データの初期ＧＦ伝送を受信する。ＲＶは、ＲＶ番号の連続のサイズ及びＫ回のＴＯの位置に基づく。
【００９４】
いくつかの実施形態で、基地局は、データの多くてもＫ回のＧＦ伝送のためにデータの１回以上の新たな初期ＧＦ伝送を受信する。あるいは、データの１回以上の新たな初期ＧＦ伝送は、周期性パラメータによって定義された周期内のＫ回のＴＯのうちの最後のＴＯで終了されてよい。
【００９５】
図８は、本願で開示されるデバイス及び方法を実装するために使用され得るコンピュータシステム８００のブロック図である。例えば、コンピュータシステムは、ＵＥ、ＡＮ、ＭＭ、ＳＭ、ＵＰＧＷ、ＡＳ、ＢＳ、ｅＮｏｄｅＢ、ＴＲＰ（transmit-receive  point）、などの如何なるエンティティであることもできる。具体的なデバイスは、図示されている全ての構成要素、又は構成要素の一部のみを利用してよく、集積の程度は、デバイスごとに異なってよい。更に、デバイスは、複数のプロセッサ、メモリ、送信器、受信器、などのような、構成要素の複数のインスタンスを含んでもよい。そのようなデバイスは、ＵＥ、ＡＮ、ＭＭ、ＳＭ、ＵＰＧＷ、ＡＳ、ＢＳ、ｅＮｏｄｅＢ、ＴＲＰ（transmit-receive  point）、などの如何なるエンティティであることもできる。コンピュータシステム８００は、プロセッサ８０２を含む。プロセッサは、中央プロセッサ（ＣＰＵ）８１４及びメモリ８０８を含んでよく、更には、バスへ接続された大容量記憶デバイス８０４、ビデオアダプタ８１０及び／又はＩ／Ｏインターフェイス８１２を含んでもよい。
【００９６】
バス８２０は、メモリバス若しくはメモリコントローラ、ペリフェラルバス、又はビデオバスを含むあらゆるタイプのいくつかのバスアーキテクチャの１つ以上であってよい。ＣＰＵ８１４は、如何なるタイプの電子データプロセッサも有してよい。メモリ８０８は、静的ランダム・アクセス・メモリ（ＳＲＡＭ）、動的ランダム・アクセス・メモリ（ＤＲＡＭ）、同期ＤＲＡＭ（ＳＤＲＡＭ）、リード・オンリー・メモリ（ＲＯＭ）、又はそれらの組み合わせなどのあらゆるタイプの非一時的なシステムメモリを有してもよい。実施形態において、メモリ８０８は、起動時に使用されるＲＯＭと、プログラム実行中に使用されるプログラム及びデータ記憶のためのＤＲＡＭとを含んでよい。
【００９７】
大容量ストレージ８０４は、データ、プログラム、及び他の情報を記憶するよう、かつ、データ、プログラム、及び他の情報をバス８２０を介してアクセス可能にするよう構成されたあらゆるタイプの非一時的な記憶デバイスを有してもよい。大容量ストレージ８０４は、例えば、ソリッドステートドライブ、ハードディスクドライブ、磁気ディスクドライブ、又は光ディスクドライブのうちの１つ以上を有してよい。
【００９８】
ビデオアダプタ８１０及びＩ／Ｏインターフェイス８１２は、外部の入力及び出力デバイスをプロセッサ８０２へ結合するようインターフェイスを提供する。表されているように、入力及び出力デバイスの例は、ビデオアダプタへ結合されているディスプレイ８１８と、Ｉ／Ｏインターフェイス８１２へ結合されているマウス／キーボード／プリンタ８１６とを含む。他のデバイスがプロセッサ８０２へ結合されてもよく、追加の又はより少ないインターフェイスカードが利用されてよい。例えば、ユニバーサル・シリアル・バス（ＵＳＢ）（図示せず）などのシリアルインターフェイスが、外部デバイスのためのインターフェイスを提供するために使用されてよい。
【００９９】
プロセッサ８０２はまた、１つ以上のネットワークインターフェイス８０６を含み、ネットワークインターフェイス８０６は、ノード又は異なるネットワークにアクセスするための、Ｅｔｈｅｒｎｅｔケーブルなどの有線リンク、及び／又は無線リンクを有してよい。ネットワークインターフェイス８０６は、プロセッサ８０２がネットワークを介して遠隔ユニットと通信することを可能にする。例えば、ネットワークインターフェイス８０６は、１つ以上の送信器／送信アンテナ及び１つ以上の受信器／受信アンテナを介して無線通信を提供し得る。実施形態において、プロセッサ８０２は、データ処理、及び他のプロセッサ、インターネット、又は遠隔の記憶接続などの遠隔のデバイスとの通信のために、ローカル・エリア・ネットワーク８２２又はワイド・エリア・ネットワークへ結合されている。
【０１００】
バス８２０及び／又はメモリ８０８は、プロセッサがハードウェアによって、例えば、集積回路又は論理回路を用いて実装される場合に、存在しなくてもよいことに留意されたい。
【０１０１】
本願で提供される実施形態の方法の１つ以上のステップは、対応するユニット又はモジュールによって実行されてよいことが認識されるべきである。例えば、信号は、送信ユニット又は送信モジュールによって送信されてよい。信号は、受信ユニット又は受信モジュールによって受信されてよい。信号は、プロセッサ又は処理モジュールによって処理されてよい。他のステップは、サービングクラスタを構築する構築ユニット／モジュール、インスタンス化ユニット／モジュール、セッションリンクを確立する確立ユニット／モジュール、保守ユニット／モジュール、又は上記のステップを実行する他の実行ユニット／モジュールによって実行されてよい。各々のユニット／モジュールは、ハードウェア、ソフトウェア、又はそれらの組み合わせであってよい。例えば、ユニット／モジュールの１つ以上は、フィールド・プログラマブル・ゲート・アレイ（ＦＰＧＡ）又は特定用途向け集積回路（ＡＳＩＣ）などの集積回路であってよい。
【０１０２】
図９は、ホストデバイスに設置され得る、本願で記載される方法を実行する処理システム９００の実施形態のブロック図を表す。図示されるように、処理システム９００は、図９に示されるように配置され得る（あるいは、されなくてもよい）プロセッサ９０４、メモリ９０６、及びインターフェイス９１０〜９１４を含む。プロセッサ９０４は、タスクに関連した演算及び／又は他の処理を実行するよう適応された任意の構成要素又は構成要素の集合であってよく、メモリ９０６は、プロセッサ９０４によって実行されるプログラミング及び／又は命令を記憶するよう適応された任意の構成要素及び／又は構成要素の集合であってよい。実施形態において、メモリ９０６は、非一時的なコンピュータ可読媒体を含む。インターフェイス９１０、９１２、９１４は、処理システム９００が他のデバイス／構成要素及び／又はユーザと通信することを可能にする任意の構成要素又は構成要素の集合であってよい。例えば、インターフェイス９１０、９１２、９１４の１つ以上は、プロセッサ９０４から、ホストデバイスにインストールされたアプリケーション及び／又は遠隔のデバイスへデータ、制御、又は管理メッセージを送るよう適応されてよい。他の例として、インターフェイス９１０、９１２、９１４の１つ以上は、ユーザ／ユーザデバイス（例えば、パーソナル・コンピュータ（ＰＣ）など）が処理システム９００と相互作用／通信することを可能にするよう適応されてよい。処理システム９００は、長期ストレージ（例えば、不揮発性メモリなど）のような、図９に表されていない追加の構成要素を含んでもよい。
【０１０３】
いくつかの実施形態で、処理システム９００は、電気通信網にアクセスしているか、又は別なふうにその部分であるネットワークデバイスに含まれる。一例において、処理システム９００は、電気通信網内の基地局、中継局、スケジューラ、コントローラ、ゲートウェイ、ルータ、アプリケーションサーバ、又は何らかの他のデバイスなどの、無線又は有線電気通信網内のネットワーク側デバイスにある。他の実施形態では、処理システム９００は、電気通信網内の移動局（ＳＴＡ）、ユーザ機器（ＵＥ）、パーソナル・コンピュータ（ＰＣ）、タブレット、ウェアラブル通信デバイス（例えば、スマートウォッチ）、又は何らかの他のデバイスなどの、無線又は有線電気通信網にアクセスするユーザ側デバイスにある。
【０１０４】
いくつかの実施形態で、インターフェイス９１０、９１２、９１４の１つ以上は、電気通信網にわたってシグナリングを送信及び受信するよう適応されたトランシーバへ処理システム９００を接続する。図１０は、電気通信網にわたってシグナリングを送信及び受信するよう適応されたトランシーバ１０００のブロック図を表す。トランシーバ１０００は、ホストデバイスに設置されてよい。図示されるように、トランシーバ１０００は、ネットワーク側インターフェイス１００２、結合器１００４、送信器１００６、受信器１００８、信号プロセッサ１０１０、及びデバイス側インターフェイス１０１２を有する。ネットワーク側インターフェイス１００２は、無線又は有線電気通信網にわたってシグナリングを送信又は受信するよう適応された任意の構成要素又は構成要素の集合を含んでよい。結合器１００４は、ネットワーク側インターフェイス１００２を介した双方向通信を容易にするよう適応された任意の構成要素又は構成要素の集合を含んでよい。送信器１００６は、ベースバンド信号を、ネットワーク側インターフェイス１００２を介した伝送に適した変調されたキャリア信号に変換するよう適応された任意の構成要素又は構成要素の集合（例えば、アップコンバータ、電力増幅器、など）を含んでよい。受信器１００８は、ネットワーク側インターフェイス１００２を介して受信されたキャリア信号をベースバンド信号に変換するよう適応された任意の構成要素又は構成要素の集合（例えば、ダウンコンバータ、低雑音増幅器、など）を含んでよい。信号プロセッサ１０１０は、ベースバンド信号を、デバイス側インターフェイス１０１２を介した通信に適したデータ信号に、又はその逆も同様に変換するよう適応された任意の構成要素又は構成要素の集合を含んでよい。デバイス側インターフェイス１０１２は、信号プロセッサ１０１０とホストデバイス内の構成要素（例えば、処理システム、ローカル・エリア・ネットワーク（ＬＡＮ）ポートなど）との間でデータ信号を通信するよう適応された任意の構成要素又は構成要素の集合を含んでよい。
【０１０５】
トランシーバ１０００は、如何なるタイプの通信媒体上でもシグナリングを送信又は受信してよい。いくつかの実施形態で、トランシーバ１０００は、無線媒体を介してシグナリングを送信及び受信する。例えば、トランシーバ１０００は、セルラープロトコル（例えば、ロング・ターム・エボリューション（ＬＴＥ）など）、無線ローカル・エリア・ネットワーク（ＷＬＡＮ）プロトコル（例えば、Ｗｉ−Ｆｉなど）、又は何らかの他のタイプの無線プロトコル（例えば、Ｂｌｕｅｔｏｏｔｈ、近距離通信（ＮＦＣ）など）のような無線電気通信プロトコルに従って通信するよう適応された無線トランシーバであってよい。
【０１０６】
そのような実施形態で、ネットワーク側インターフェイス１００２は、１つ以上のアンテナ／放射要素を有する。例えば、ネットワーク側インターフェイス１００２は、単一のアンテナ、複数の別個のアンテナ、又はマルチレイヤ通信のために構成されたマルチアンテナアレイ、例えば、単入力多出力（ＳＩＭＯ）、多入力単出力（ＭＩＳＯ）、多入力多出力（ＭＩＭＯ）、などを含んでよい。他の実施形態では、トランシーバ１０００は、有線媒体、例えば、ツイストペアケーブル、同軸ケーブル、光ファイバ、などを介してシグナリングを送信及び受信する。具体的な処理システム及び／又はトランシーバは、図示されている全ての構成、又は構成要素の一部のみを利用してよく、集積の程度は、デバイスごとに異なってよい。
【０１０７】
本願で提供される実施形態の方法の１つ以上のステップは、対応するユニット又はモジュールによって実行されてよいことが認識されるべきである。例えば、信号は、送信ユニット又は送信モジュールによって送信されてよい。信号は、受信ユニット又は受信モジュールによって受信されてよい。信号は、処理ユニット又は処理モジュールによって処理されてよい。他のステップは、サービングクラスタを構築する構築ユニット／モジュール、インスタンス化ユニット／モジュール、セッションリンクを確立する確立ユニット／モジュール、保守ユニット／モジュール、又は上記のステップを実行する他の実行ユニット／モジュールによって実行されてよい。各々のユニット／モジュールは、ハードウェア、ソフトウェア、又はそれらの組み合わせであってよい。例えば、ユニット／モジュールの１つ以上は、フィールド・プログラマブル・ゲート・アレイ（ＦＰＧＡ）又は特定用途向け集積回路（ＡＳＩＣ）などのチップ又は集積回路であってよい。また、１つ以上のプロセッサによって実行可能なソフトウェアのコンピュータ可読コード又は命令は、例えば、ＵＥ又は基地局のメモリなどの、非一時的なコンピュータ可読媒体に記憶されてよい。
【０１０８】
本発明は、実例となる実施形態を参照して記載されてきたが、本明細書は、限定の意味において解釈される意図はない。実例となる実施形態の変更及び組み合わせ、並びに本発明の他の実施形態は、本明細書を読むことで当業者に明らかであろう。従って、添付の特許請求の範囲は、如何なるそのような変更又は実施形態も包含することが意図される。
【０１０９】
関連出願の相互参照
本願は、２０１８年１１月２０日付けで「Methods,  Devices  and  Systems  for  Initial  Grant-Free  Transmission  Determination」と題されて出願された米国特許出願第１６／１９６３４２号、及び２０１７年１２月１日付けで「Methods,  Devices  and  Systems  for  Initial  Grant-Free  Transmission  Determination」と題されて出願された米国特許仮出願第６２／５９３８２７号の優先権を主張する。なお、これらの特許出願は、これをもってその全文を参照により本願に援用される。
【図１】
2021505084.tif 000003
【図２Ａ】
2021505084.tif 000004
【図２Ｂ】
2021505084.tif 000005
【図３Ａ】
2021505084.tif 000006
【図３Ｂ】
2021505084.tif 000007
【図３Ｃ】
2021505084.tif 000008
【図３Ｄ】
2021505084.tif 000009
【図３Ｅ】
2021505084.tif 000010
【図３Ｆ】
2021505084.tif 000011
【図３Ｇ】
2021505084.tif 000012
【図３Ｈ】
2021505084.tif 000013
【図３Ｉ】
2021505084.tif 000014
【図４Ａ】
2021505084.tif 000015
【図４Ｂ】
2021505084.tif 000016
【図４Ｃ】
2021505084.tif 000017
【図４Ｄ】
2021505084.tif 000018
【図４Ｅ】
2021505084.tif 000019
【図４Ｆ】
2021505084.tif 000020
【図４Ｇ】
2021505084.tif 000021
【図４Ｈ】
2021505084.tif 000022
【図４Ｉ】
2021505084.tif 000023
【図４Ｊ】
2021505084.tif 000024
【図４Ｋ】
2021505084.tif 000025
【図５Ａ】
2021505084.tif 000026
【図５Ｂ】
2021505084.tif 000027
【図６Ａ】
2021505084.tif 000028
【図６Ｂ】
2021505084.tif 000029
【図７Ａ】
2021505084.tif 000030
【図７Ｂ】
2021505084.tif 000031
【図８】
2021505084.tif 000032
【図９】
2021505084.tif 000033
【図１０】
2021505084.tif 000034
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
通信装置によって許可不要（ＧＦ）伝送のためのリソース設定を受け取ることであり、該リソース設定は、周期性パラメータ（Ｐ）、繰り返し回数（Ｋ）、及び１つ以上のＲＶタイプに対応するリダンダンシバージョン（ＲＶ）番号の連続を有し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取ることと、
前記通信装置によって、前記周期性パラメータによって定義された前記周期内の前記Ｋ回のＴＯのうちの、ＲＶ０に対応するＲＶ番号と関連付けられたＴＯにおいて、データの初期ＧＦ伝送を行うことと
を有する方法。
【請求項２】
前記ＲＶ番号の連続は、｛０，３，０，３｝を有し、前記連続の中の０は、ＲＶ０に対応し、前記連続の中の３は、ＲＶ３に対応する、
請求項１に記載の方法。
【請求項３】
前記Ｋ回のＴＯは、連続的又は離散的である、
請求項１又は２に記載の方法。
【請求項４】
前記通信装置は、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１乃至３のうちいずれか一項に記載の方法。
【請求項５】
Ｋは、２、４、又は８である、
請求項１乃至４のうちいずれか一項に記載の方法。
【請求項６】
前記ＲＶ番号の連続のサイズは、４であり、
前記Ｋ回のＴＯのうちのｎ番目のＴＯは、前記ＲＶ番号の連続のうちの（ｎ  ｍｏｄ  ４）番目のＲＶ番号と関連付けられ、
ｎは、０以上の整数であり、ｎは、Ｋ−１以下である、
請求項１乃至５のうちいずれか一項に記載の方法。
【請求項７】
通信装置によって許可不要（ＧＦ）伝送のためのリソース設定を受け取ることであり、該リソース設定は、周期性パラメータ（Ｐ）、繰り返し回数（Ｋ）、及び｛０，２，３，１｝を有するリダンダンシバージョン（ＲＶ）番号の連続を有し、前記連続の中の０はＲＶ０に対応し、前記連続の中の１はＲＶ１に対応し、前記連続の中の２はＲＶ２に対応し、前記連続の中の３はＲＶ３に対応し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取ることと、
前記通信装置によって、前記ＲＶ番号の連続のうちのあるＲＶ番号に対応するＲＶを用いて、前記周期性パラメータによって定義された前記周期内の前記Ｋ回のＴＯのうちのあるＴＯにおいて、データの初期ＧＦ伝送を行うことであり、前記ＲＶは、前記ＲＶ番号の連続のサイズ及び前記Ｋ回のＴＯの位置に基づく、前記行うことと
を有する方法。
【請求項８】
Ｋは、４よりも小さい整数であり、
前記あるＴＯは、当該ＴＯにおいて前記データの前記ＧＦ伝送のために使用される前記ＲＶに対応する前記ＲＶ番号の連続のうちの（ｎ  ｍｏｄ  ４）番目のＲＶ番号と関連付けられた前記Ｋ回のＴＯのうちのｎ番目のＴＯであり、
ｎは、０以上の整数であり、ｎは、Ｋ−１以下である、
請求項７に記載の方法。
【請求項９】
前記Ｋ回のＴＯは、連続的又は離散的である、
請求項７又は８に記載の方法。
【請求項１０】
前記通信装置は、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項７乃至９のうちいずれか一項に記載の方法。
【請求項１１】
Ｋは、２又は４である、
請求項７乃至１０のうちいずれか一項に記載の方法。
【請求項１２】
プロセッサと、
前記プロセッサによって実行されるプログラミングを記憶している非一時的なコンピュータ可読記憶媒体と
を有し、
前記プログラミングは、
許可不要（ＧＦ）伝送のためのリソース設定を受け取る命令であり、該リソース設定は、周期性パラメータ（Ｐ）、繰り返し回数（Ｋ）、及び１つ以上のＲＶタイプに対応するリダンダンシバージョン（ＲＶ）番号の連続を有し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取る命令と、
前記周期性パラメータによって定義された前記周期内の前記Ｋ回のＴＯのうちの、ＲＶ０に対応するＲＶ番号と関連付けられたＴＯにおいて、データの初期ＧＦ伝送を行う命令と
を含む、
通信装置。
【請求項１３】
前記ＲＶ番号の連続は、｛０，３，０，３｝を有し、前記連続の中の０は、ＲＶ０に対応し、前記連続の中の３は、ＲＶ３に対応する、
請求項１２に記載の通信装置。
【請求項１４】
前記Ｋ回のＴＯは、連続的又は離散的である、
請求項１２又は１３に記載の通信装置。
【請求項１５】
前記通信装置は、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１２乃至１４のうちいずれか一項に記載の通信装置。
【請求項１６】
Ｋは、２、４、又は８である、
請求項１２乃至１５のうちいずれか一項に記載の通信装置。
【請求項１７】
前記ＲＶ番号の連続のサイズは、４であり、
前記Ｋ回のＴＯのうちのｎ番目のＴＯは、前記ＲＶ番号の連続のうちの（ｎ  ｍｏｄ  ４）番目のＲＶ番号と関連付けられ、
ｎは、０以上の整数であり、ｎは、Ｋ−１以下である、
請求項１２乃至１６のうちいずれか一項に記載の通信装置。
【請求項１８】
プロセッサと、
前記プロセッサによって実行されるプログラミングを記憶している非一時的なコンピュータ可読記憶媒体と
を有し、
前記プログラミングは、
許可不要（ＧＦ）伝送のためのリソース設定を受け取る命令であり、該リソース設定は、周期性パラメータ（Ｐ）、繰り返し回数（Ｋ）、及び｛０，２，３，１｝を有するリダンダンシバージョン（ＲＶ）番号の連続を有し、前記連続の中の０はＲＶ０に対応し、前記連続の中の１はＲＶ１に対応し、前記連続の中の２はＲＶ２に対応し、前記連続の中の３はＲＶ３に対応し、前記周期性パラメータは、Ｋ回の伝送機会（ＴＯ）を有する周期を定義し、該Ｋ回のＴＯの夫々は、前記ＲＶ番号の連続のうちの１つのＲＶ番号と関連付けられる、前記受け取る命令と、
前記ＲＶ番号の連続のうちのあるＲＶ番号に対応するＲＶを用いて、前記周期性パラメータによって定義された前記周期内の前記Ｋ回のＴＯのうちのあるＴＯにおいて、データの初期ＧＦ伝送を行う命令であり、前記ＲＶは、前記ＲＶ番号の連続のサイズ及び前記Ｋ回のＴＯの位置に基づく、前記行う命令と
を含む、
通信装置。
【請求項１９】
Ｋは、４よりも小さい整数であり、
前記あるＴＯは、当該ＴＯにおいて前記データの前記ＧＦ伝送のために使用される前記ＲＶに対応する前記ＲＶ番号の連続のうちの（ｎ  ｍｏｄ  ４）番目のＲＶ番号と関連付けられた前記Ｋ回のＴＯのうちのｎ番目のＴＯであり、
ｎは、０以上の整数であり、ｎは、Ｋ−１以下である、
請求項１８に記載の通信装置。
【請求項２０】
前記Ｋ回のＴＯは、連続的又は離散的である、
請求項１８又は１９に記載の通信装置。
【請求項２１】
前記通信装置は、前記データの多くてもＫ回のＧＦ伝送のために前記データの１回以上の新たな初期ＧＦ伝送を実行するか、あるいは、前記周期性パラメータによって定義された前記周期内の前記Ｋ回のＴＯのうちの最後のＴＯで前記データの前記１回以上の新たな初期ＧＦ伝送を終了する、
請求項１８乃至２０のうちいずれか一項に記載の通信装置。
【請求項２２】
Ｋは、２又は４である、
請求項１８乃至２１のうちいずれか一項に記載の通信装置。
【請求項２３】
通信装置で実行される場合に、請求項１乃至１１のうちいずれか一項に記載の方法が実行される、プログラム。
【請求項２４】
請求項２３に記載のプログラムを記憶しているコンピュータ可読媒体。
【手続補正２】
【補正対象書類名】明細書
【補正対象項目名】全文
【補正方法】変更
【補正の内容】
【発明の詳細な説明】
【技術分野】
【０００１】
本開示は、無線通信に、特定の実施形態では、許可不要伝送における初期伝送を決定するための方法、デバイス、及びシステムに関係がある。
【背景技術】
【０００２】
いくつかの無線通信システムにおいて、ユーザ機器（user  equipment，ＵＥ）は、データを基地局へ送信しかつ／あるいはデータを基地局から受信するよう、基地局と無線で通信する。ＵＥから基地局への無線通信は、アップリンク通信と呼ばれる。基地局からＵＥへの無線通信は、ダウンリンク通信と呼ばれる。
【０００３】
アップリンク及びダウンリンク通信を行うためには、リソースが必要とされる。例えば、ＵＥは、特定の周波数でかつ／あるいは特定の時間スロットの間にアップリンク伝送において基地局へデータを無線で送信し得る。使用される周波数及び時間スロットは、リソースの例である。
【０００４】
いくつかの無線通信システムにおいて、ＵＥがデータを基地局へ送信したい場合に、ＵＥは、基地局にアップリンクリソースを要求する。基地局はアップリンクリソースを許可し、次いで、ＵＥは、許可されたアップリンクリソースを用いてアップリンク伝送を送信する。基地局によって許可され得るアップリンクリソースの例は、アップリンク直交周波数分割多重アクセス（orthogonal  frequency  division  multiple  access，ＯＦＤＭＡ）における時間−周波数位置の組である。
【０００５】
基地局がアップリンクリソースをＵＥに具体的に許可しているので、基地局は、許可されたアップリンクリソースを用いてアップリンク伝送を送信するＵＥの身元を知っている。しかし、もしあれば、どのＵＥが、又はいつＵＥが、特定のアップリンクリソースを用いてアップリンク伝送を送信しようとしているかを基地局が知らないスキームが存在することがある。そのようなスキームの一例は、ＵＥが、リソースの使用を特に要求することなく、かつ、基地局によってリソースを動的に許可されることなく、ＵＥによって共有されている特定のアップリンクリソースを用いてアップリンク伝送を送信し得る許可不要アップリンク伝送スキームである。従って、基地局は、もしあれば、どのＵＥが、又はいつＵＥが、事前設定されたリソースを用いて許可不要アップリンク伝送を送信するつもりであったかを知り得ない。許可なし（grant-less）、許可不要ランダムアクセス（grant-free  random  access）、設定許可伝送（configured  grant  transmission）、事前設定許可伝送、（事前）設定自律（(pre-)configured  autonomous）、設定許可タイプ１（configured  grant  Type 1）、設定許可タイプ２（configured  grant  Type 2）、動的スケジューリングによらない伝送など、複数の用語が、許可不要伝送と同じスキームを意味するために使用され得る。
【発明の概要】
【０００６】
ユーザ機器（ＵＥ）が無線システムにおける許可不要伝送での初期伝送タイミング及び初期伝送リダンダンシバージョン（redundancy  version，ＲＶ）を決定するための方法及びシステムが、開示される。
【０００７】
本開示の第１態様では、無線システムにおける許可不要伝送での初期伝送の方法が提供される。方法は、ユーザ機器によって、リダンダンシバージョン（ＲＶ）シーケンスを受け取ることと、ユーザ機器によって、ＲＶシーケンスに従って伝送機会において、伝送されるべきデータの第１バージョンを送信することとを有し、伝送されるべきデータの第１バージョンの初期伝送は、独立して復号化可能又は自己復号化可能である方法でデータ符号化のためのＲＶスキーム（例えば、ＲＶ０）を用いて実行される。この方法によれば、従来のシステムと比べて、レイテンシは低減可能である。
【０００８】
第１態様の方法の第１実施形態で、データの第１バージョンは、ＲＶ０若しくはＲＶ３又は任意の自己復号化可能なリダンダンシバージョン又は前記伝送されるべきデータの任意のリダンダンシバージョンである。
【０００９】
第１態様の方法の第２実施形態で、許可不要伝送のための伝送機会は、次に利用可能な伝送機会である。
【００１０】
第１態様の方法の第３実施形態で、許可不要伝送のための次に利用可能な伝送機会は、ＲＶシーケンスに従ってＲＶ０若しくはＲＶ３又は任意の自己復号化可能なリダンダンシバージョン又は前記伝送されるべきデータの任意のリダンダンシバージョンを送るよう割り当てられた機会である。
【００１１】
第１態様の方法の第４実施形態で、許可不要伝送のための次に利用可能な伝送機会は、ＲＶシーケンスの１つの要素が自己復号化可能でない場合に、繰り返しバンドルの最初の伝送機会である。
【００１２】
第１態様の方法の第５実施形態で、次に利用可能な伝送機会は、ＲＶシーケンスの全ての要素が自己復号化可能である場合に、繰り返しバンドルのいずれかの伝送機会である。
【００１３】
本開示の第２態様では、第１の態様で無線システムにおける許可不要伝送での初期伝送を行う方法を実装するユーザ機器が、提供される。
【００１４】
実施形態に従って、許可不要伝送における初期伝送を決定するための方法、デバイス、及びシステムが提供される。ＵＥは、許可不要（grant-free，ＧＦ）伝送のためのリソース設定を受け取る。リソース設定は、周期性パラメータ（Ｐ）と、繰り返し回数（Ｋ）と、１つ以上のＲＶタイプに対応するリダンダンシバージョン（ＲＶ）番号の連続とを有する。周期性パラメータは、Ｋ回の伝送機会（transmission  occasions，ＴＯ）を有する周期を定義し、Ｋ回のＴＯの夫々は、ＲＶ番号の連続のうちの１つのＲＶ番号と関連付けられる。ＵＥは、周期性パラメータによって定義された周期内のＫ回のＴＯのうちのあるＴＯにおいて、データの初期ＧＦ伝送を実行する。そのＴＯは、ＲＶ０に対応するＲＶ番号と関連付けられている。
【００１５】
実施形態に従って、ＵＥは、許可不要（ＧＦ）伝送のためのリソース設定を受け取る。リソース設定は、周期性パラメータ（Ｐ）、繰り返し回数（Ｋ）、及び｛０，２，３，１｝を有するリダンダンシバージョン（ＲＶ）番号の連続を有する。連続の中の０はＲＶ０に対応し、前記連続の中の１はＲＶ１に対応し、前記連続の中の２はＲＶ２に対応し、前記連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００１６】
本発明及びその利点のより完全な理解のために、これより、添付の図面とあわせて以下の説明が参照される。
【図面の簡単な説明】
【００１７】
【図１】実施形態に従う通信システムを示す。
【図２Ａ】例となる無線通信デバイスを示す。
【図２Ｂ】例となる基地局を示す。
【図３Ａ】開始点がＲＶシーケンスに基づく実施形態を例示する。
【図３Ｂ】開始点がＲＶシーケンスに基づく実施形態を例示する。
【図３Ｃ】開始点がＲＶシーケンスに基づく実施形態を例示する。
【図３Ｄ】開始点がＲＶシーケンスに基づく実施形態を例示する。
【図３Ｅ】開始点がＲＶシーケンスに基づく実施形態を例示する。
【図３Ｆ】開始点がＲＶシーケンスに基づく実施形態を例示する。
【図３Ｇ】開始点がＲＶシーケンスに基づく実施形態を例示する。
【図３Ｈ】開始点がＲＶシーケンスに基づく実施形態を例示する。
【図３Ｉ】開始点がＲＶシーケンスに基づく実施形態を例示する。
【図４Ａ】開始点がＴＯにおけるＲＶに基づく実施形態を例示する。
【図４Ｂ】開始点がＴＯにおけるＲＶに基づく実施形態を例示する。
【図４Ｃ】開始点がＴＯにおけるＲＶに基づく実施形態を例示する。
【図４Ｄ】開始点がＴＯにおけるＲＶに基づく実施形態を例示する。
【図４Ｅ】開始点がＴＯにおけるＲＶに基づく実施形態を例示する。
【図４Ｆ】開始点がＴＯにおけるＲＶに基づく実施形態を例示する。
【図４Ｇ】開始点がＴＯにおけるＲＶに基づく実施形態を例示する。
【図４Ｈ】開始点がＴＯにおけるＲＶに基づく実施形態を例示する。
【図４Ｉ】開始点がＴＯにおけるＲＶに基づく実施形態を例示する。
【図４Ｊ】開始点がＴＯにおけるＲＶに基づく実施形態を例示する。
【図４Ｋ】開始点がＴＯにおけるＲＶに基づく実施形態を例示する。
【図５Ａ】開始点がタイマ及び繰り返しの回数に基づいて決定される実施形態を例示する。
【図５Ｂ】開始点がタイマ及び繰り返しの回数に基づいて決定される実施形態を例示する。
【図６Ａ】実施形態に従って、初期許可不要伝送の決定のための方法のフローチャートを示す。
【図６Ｂ】実施形態に従って、初期許可不要伝送の決定のための方法のフローチャートを示す。
【図７Ａ】実施形態に従って、初期許可不要伝送の決定のための方法のフローチャートを示す。
【図７Ｂ】実施形態に従って、初期許可不要伝送の決定のための方法のフローチャートを示す。
【図８】コンピュータシステムの例を示す。
【図９】処理システムの実施形態のブロック図を表す。
【図１０】トランシーバの実施形態のブロック図を表す。
【発明を実施するための形態】
【００１８】
図１は、例となる通信システム１００を表す。一般に、システム１００は、複数の無線又は有線ユーザがデータ及び他のコンテンツを送信及び受信することを可能にする。システム１００は、符号分割多重アクセス（code  division  multiple  access，ＣＤＭＡ）、時分割多重アクセス（time  division  multiple  access，ＴＤＭＡ）、周波数分割多重アクセス（frequency  division  multiple  access，ＦＤＭＡ）、直交ＦＤＭＡ（orthogonal  FDMA，ＯＦＤＭＡ）、又はシングルキャリアＦＤＭＡ（single-carrier  FDMA，ＳＣ−ＦＤＭＡ）などの１つ以上のチャネルアクセス方法を実装してよい。
【００１９】
この例で、通信システム１００は、電子機器（electronic  devices，ＥＤ）１１０ａ〜１１０ｃ、ラジオ・アクセス・ネットワーク（radio  access  networks，ＲＡＮ）１２０ａ〜１２０ｂ、コアネットワーク１３０、公衆交換電話網（public  switched  telephone  network，ＰＳＴＮ）１４０、インターネット１５０、及び他のネットワーク１６０を含む。これらの構成要素又は要素は図１では特定の数だけ示されているが、これらの構成要素又は要素はいくつでもシステム１００に含まれてよい。
【００２０】
ＥＤ１１０ａ〜１１０ｃは、システム１００において動作及び／又は通信するよう構成される。例えば、ＥＤ１１０ａ〜１１０ｃは、無線又は有線通信チャネルを介して送信及び／又は受信するよう構成される。各ＥＤ１１０ａ〜１１０ｃは、任意の適切なエンドユーザデバイスを表し、ユーザ機器／デバイス（ＵＥ）、無線送信／受信ユニット（wireless  transmit/receive  unit，ＷＴＲＵ）、移動局、固定若しくは移動加入者ユニット、携帯電話機、パーソナル・デジタル・アシスタント（personal  digital  assistant，ＰＤＡ）、スマートフォン、ラップトップ、コンピュータ、タッチパッド、無線センサ、又はコンシューマエレクトロニクスデバイスなどのデバイスを含み得る（あるいは、そのように呼ばれることがある）。
【００２１】
ＲＡＮ１２０ａ〜１２０ｂは、ここでは、夫々、基地局１７０ａ〜１７０ｂを含む。各基地局１７０ａ〜１７０ｂは、コアネットワーク１３０、ＰＳＴＮ１４０、インターネット１５０、及び／又は他のネットワーク１６０へのアクセスを可能にするようにＥＤ１１０ａ〜１１０ｃの１つ以上と無線でインターフェイス接続するよう構成される。例えば、基地局１７０ａ〜１７０ｂは、ベーストランシーバ局（base  transceiver  station，ＢＴＳ）、ノードＢ（Node-B，ＮｏｄｅＢ）、エボルブド・ノードＢ（evolved  NodeB，ｅＮｏｄｅＢ）、ホームＮｏｄｅＢ、ホームｅＮｏｄｅＢ、サイトコントローラ、アクセス・ポイント（access  point，ＡＰ）、無線ルータ、又は送受信点（transmit-receive  point，ＴＲＰ）などのいくつかのよく知られたデバイスの１つ以上を含んでよい（又はそれであってよい）。ＥＤ１１０ａ〜１１０ｃは、インターネット１５０とインターフェイス接続し通信するよう構成され、コアネットワーク１３０、ＰＳＴＮ１４０、及び／又は他のネットワーク１６０にアクセスし得る。
【００２２】
図１に示される実施形態では、基地局１７０ａは、ＲＡＮ１２０ａの部分を形成し、ＲＡＮ１２０ａは、他の基地局、要素、及び／又はデバイスを含んでもよい。また、基地局１７０ｂは、ＲＡＮ１２０ｂの部分を形成し、ＲＡＮ１２０ｂは、他の基地局、要素、及び／又はデバイスを含んでもよい。各基地局１７０ａ〜１７０ｂは、「セル」と時々呼ばれる特定の地理的範囲内で無線信号を送信及び／又は受信するよう動作する。いくつかの実施形態では、セルごとに複数のトランシーバを備える多入力多出力（multiple-input  multiple-output，ＭＩＭＯ）技術が用いられてもよい。
【００２３】
基地局１７０ａ〜１７０ｂは、無線通信リンクを用いて１つ以上のエアインターフェイス１９０を介してＥＤ１１０ａ〜１１０ｃの１つ以上と通信する。エアインターフェイス１９０は、如何なる適切なラジオアクセス技術も利用してよい。
【００２４】
システム１００は、上記のようなスキームを含む多重チャネルアクセス機能を使用してよい。特定の実施形態では、基地局及びＥＤは、ＬＴＥ、ＬＴＥ−Ａ、及び／又はＬＴＥ−Ｂを実装する。当然、他の多重アクセススキーム及び無線プロトコルが利用されてもよい。
【００２５】
ＲＡＮ１２０ａ〜１２０ｂは、ＥＤ１１０ａ〜１１０ｃに音声、データ、アプリケーション、ボイス・オーバー・インターネット・プロトコル（Voice  over  Internet  Protocol，ＶｏＩＰ）、又は他のサービスを提供するようコアネットワーク１３０と通信する。理解できるように、ＲＡＮ１２０ａ〜１２０ｂ及び／又はコアネットワーク１３０は、１つ以上の他のＲＡＮ（図示せず）と直接的又は間接的に通信してよい。コアネットワーク１３０は、他のネットワーク（例えば、ＰＳＴＮ１４０、インターネット１５０、及び他のネットワーク１６０）のためのゲートウェイアクセスとしての役割も果たし得る。その上、ＥＤ１１０ａ〜１１０ｃの一部又は全ては、異なる無線技術及び／又はプロトコルを用いて異なる無線リンク上で異なる無線ネットワークと通信する機能を含んでもよい。無線通信の代わりに（又はそれに加えて）、ＥＤは、サービスプロバイダ又はスイッチ（図示せず）に対して及びインターネット１５０に対して有線通信チャネルを介して通信してもよい。
【００２６】
図１には通信システムの一例が表されているが、様々な変更が図１に対して行われてよい。例えば、通信システム１００は、如何なる適切な構成でもＥＤ、基地局、ネットワーク、又は他の構成要素をいくつでも含んでよい。
【００２７】
図２Ａ及び２Ｂは、本開示に従う方法及び技術を実装し得るデバイスの例を表す。特に、図２Ａは、例となるＥＤ１１０を表し、図２Ｂは、例となる基地局１７０を表す。これらの構成要素は、システム１００で、又は任意の他の適切なシステムで、使用されてよい。
【００２８】
図２Ａに示されるように、ＥＤ１１０は、少なくとも１つのプロセッサ２００を含む。プロセッサ２００は、ＥＤ１１０の様々な処理動作を実装する。例えば、プロセッサ２００は、信号符号化、データ処理、電力制御、入出力処理、又はＲＦ１１０がシステム１００で動作することを可能にする他の機能を実行してよい。プロセッサ２００はまた、先により詳細に記載された方法及び教示をサポートする。各プロセッサ２００は、１つ以上の動作を実行するよう構成された如何なる適切な処理又は計算デバイスも含む。各プロセッサ２００は、例えば、マイクロプロセッサ、マイクロコントローラ、デジタル信号プロセッサ、フィールド・プログラマブル・ゲート・アレイ、又は特定用途向け集積回路を含んでよい。
【００２９】
ＥＤ１１０はまた、少なくとも１つのトランシーバ２０２を含む。トランシーバ２０２は、少なくとも１つのアンテナ又はネットワーク・インターフェイス・コントローラ（Network  Interface  Controller，ＮＩＣ）２０４による伝送のためにデータ又は他のコンテンツを変調するよう構成される。トランシーバ２０２はまた、少なくとも１つのアンテナ２０４によって受信されたデータ又は他のコンテンツを復調するよう構成される。各トランシーバ２０２は、無線若しくは有線伝送のための信号を生成し及び／又は無線若しくは有線で受信された信号を処理する如何なる適切な構造も含む。各アンテナ２０４は、無線又は有線信号を送信及び／又は受信する如何なる適切な構造も含む。１つ以上のトランシーバ２０２がＥＤ１１０で使用されてよく、１つ以上のアンテナ２０４がＥＤ１１０で使用されてよい。単一の機能ユニットとして示されているが、トランシーバ２０２は、少なくとも１つの送信器と少なくとも１つの別個の受信器とを用いて実装されてもよい。
【００３０】
ＥＤ１１０は、１つ以上の入出力デバイス２０６又はインターフェイス（例えば、インターネット１５０への有線インターフェイス）を更に含む。入出力デバイス２０６は、ネットワーク内のユーザ又は他のデバイス（ネットワーク通信）とのインタラクションを助ける。各入出力デバイス２０６は、ネットワークインターフェイス通信を含め、スピーカ、マイクロホン、キーパッド、キーボード、ディスプレイ、又はタッチスクリーンなどのユーザへ情報を供給し及び／又はユーザからの情報を受信／供給する如何なる適切な構造も含む。
【００３１】
加えて、ＥＤ１１０は、少なくとも１つのメモリ２０８を含む。メモリ２０８は、ＥＤ１１０によって使用、生成、又は収集される命令及びデータを記憶する。例えば、メモリ２０８は、プロセッサ２００によって実行されるソフトウェア又はファームウェア命令と、入来信号における干渉を低減又は除去するために使用されるデータとを記憶してよい。各メモリ２０８は、如何なる適切な揮発性及び／又は不揮発性ストレージ並びに読み出し装置も含む。ランダム・アクセス・メモリ（random  access  memory，ＲＡＭ）、リード・オンリー・メモリ（read  only  memory，ＲＯＭ）、ハードディスク、光ディスク、加入者識別モジュール（subscriber  identity  module，ＳＩＭ）カード、メモリスティック、セキュアデジタル（secure  digital，ＳＤ）メモリカード、などのような、如何なる適切なタイプのメモリも使用されてよい。
【００３２】
図２Ｂに示されるように、基地局１７０は、少なくとも１つのプロセッサ２５０と、送信器及び受信器の機能を含む少なくとも１つのトランシーバ２５２と、少なくとも１つのアンテナ２５６と、少なくとも１つのメモリ２５８と、少なくとも１つの入出力デバイス又はインターフェイス２６６とを含む。当業者によって理解されるだろうスケジューラ２５３がプロセッサ２５０へ結合されている。スケジューラ２５３は、基地局１７０内に含まれるか、あるいは、それは別に動作してよい。プロセッサ２５０は、信号符号化、データ処理、電力制御、入出力処理、又はあらゆる他の機能などの、基地局１７０の様々な処理動作を実装してよい。プロセッサ２５０はまた、先により詳細に記載された方法及び教示をサポートすることができる。各プロセッサ２５０は、１つ以上の動作を実行するよう構成された如何なる適切な処理又は計算デバイスも含む。各プロセッサ２５０は、例えば、マイクロプロセッサ、マイクロコントローラ、デジタル信号プロセッサ、フィールド・プログラマブル・ゲート・アレイ、又は特定用途向け集積回路を含んでよい。
【００３３】
各トランシーバ２５２は、１つ以上のＥＤ又は他のデバイスへの無線又は有線伝送のために信号を生成する如何なる適切な構造も含む。各トランシーバ２５２は、１つ以上のＥＤ又は他のデバイスから無線又は有線で受信された信号を処理する如何なる適切な構造も更に含む。トランシーバ２５２として結合されて示されているが、送信器及び受信器は別個のコンポーネントであってもよい。各アンテナ２５６は、無線又は有線信号を送信及び／又は受信する如何なる適切な構造も含む。共通のアンテナ２５６が、ここでは、トランシーバ２５２へ結合されるものとして示されているが、１つ以上のアンテナ２５６がトランシーバ２５２へ結合されてもよく、別個のコンポーネントとして装備される場合に送信器及び受信へ別々のアンテナ２５６が結合されることを可能にする。各メモリ２５８は、如何なる適切な揮発性及び／又は不揮発性ストレージ並びに読み出し装置も含む。各入出力デバイス２６６は、ネットワーク内のユーザ又は他のデバイス（ネットワーク通信）とのインタラクションを助ける。各入出力デバイス２６６は、ネットワークインターフェイス通信を含め、ユーザへ情報を供給し及び／又はユーザからの情報を受信／供給する如何なる適切な構造も含む。
【００３４】
図２ＡのようなＥＤ又は図２Ｂのような基地局のいずれにおいても、メモリは、プロセッサがハードウェアによって、例えば、集積回路又は論理回路を使用して実装される場合に、プロセッサと一体化され得る。
【００３５】
いくつかの実施形態で、ユーザ機器（ＵＥ）は、ラジオ・リソース・コントロール（ＲＲＣ）信号を受信してよい。ＲＲＣ信号は、周期性パラメータ（Ｐ）、繰り返し（Ｋ，初期伝送を含む）又は再送、及び繰り返し（Ｋ）又は再送のためのリダンダンシバージョン（ＲＶ）シーケンスを有する少なくとも許可不要リソースを特定し得る。他の実施形態では、このようなＲＶシーケンスは、ダウンリンク制御情報（downlink  control  information，ＤＣＩ）信号によって設定可能である。周期内の繰り返しは、同じ伝送ブロック（transmission  block，ＴＢ）の伝送のために適用され得る。
【００３６】
リソース設定は、独立してＰ及びＫを考慮することによって行われ得る。許可不要伝送のためのリソース設定の１つの方法は、Ｐが初期伝送機会を決定し、一方、Ｋ−１回の繰り返しが直ちに又は繰り返しの間に一定の時間距離をもって初期伝送に続くことができることである。設定されたＲＶシーケンスは、Ｋ回の繰り返し伝送機会と関連付けられ得る。例えば、ＲＶ０は、初期伝送機会と関連付けられ、ＲＶ１は、繰り返しの中の第２伝送と関連付けられる、など。基本的に、ＲＶシーケンスは、繰り返しと順次に関連付けられ（ＫがＲＶシーケンス長さよりも長い場合には、何度も繰り返され）る。
【００３７】
いくつかの実施形態で、許可不要リソースを設定する１つのスキームは、ＵＥ特有の繰り返しパラメータ値（Ｋ）に関連したＰ値を更に考慮することである。例えば、Ｐは、Ｐ＞Ｋの制約をもってその周期性粒度によって決定可能であり、Ｋ−１回の繰り返しは、利用可能な時間周波数リソースを用いて直ちに初期伝送に続くことができる。いくつかの設計課題は、ＵＥのトラフィック到着が１つの初期伝送機会を逃す場合にＵＥがどのような挙動をするようサポートされるのか、ＵＥが次の初期伝送機会を待つ可能性があるのかどうか、又はＵＥが（Ｋ−１）回の繰り返し伝送機会のうちのいずれかで正しく伝送する可能性があるかどうかに関係がある。他の技術的な設計課題は、自己復号化可能でないか又は復号化されることが難しいＲＶによりどのようにして基地局がデータを復号化するかに関係がある。上記の技術的な設計課題を解消するよう、本開示の実施形態は、許可不要伝送における初期伝送を決定するための技術を提供する。いくつかの実施形態で、ＵＥは、許可不要（ＧＦ）伝送のためのリソース設定を受け取る。リソース設定は、周期性パラメータ（Ｐ）と、繰り返し回数（Ｋ）と、１つ以上のＲＶタイプに対応するリダンダンシバージョン（ＲＶ）番号の連続とを有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられる。ＵＥは、周期性パラメータによって定義された周期内のＫ回のＴＯのうちのあるＴＯにおいて、データの初期ＧＦ伝送を行う。そのＴＯは、ＲＶ０に対応するＲＶ番号と関連付けられている。他の実施形態では、ＵＥは、許可不要（ＧＦ）伝送のためのリソース設定を受け取る。リソース設定は、周期性パラメータ（Ｐ）と、繰り返し回数（Ｋ）と、｛０，２，３，１｝を有するリダンダンシバージョン（ＲＶ）番号の連続とを有する。連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。伝送されるべきデータの第１バージョンの初期伝送が、独立して復号化可能又は自己復号化可能である方法でデータ符号化のためのＲＶスキーム（例えば、ＲＶ０）を用いて実行されることを可能にすることによって、開示される実施形態は、従来のシステムと比べてレイテンシを低減することを助ける。そうすることにおいて、開示される技術は、許可不要伝送の実行を改善し、許可不要伝送のためにリソースをより効率的に利用する。
【００３８】
ＵＥは、ダウンリンク制御情報（ＤＣＩ）信号を待たずに、許可不要（ＧＦ）アップリンク（ＵＬ）伝送を実行し得る。しかし、ＵＥのトラフィック到着は如何なる時点でもあり得るので、ＵＥは、Ｐによって（事前）設定された１つの初期伝送機会を逃すことなるパケット到着を有する可能性がある。ＵＥが、続く繰り返し機会において、機会と関連付けられているＲＶにより伝送を行う場合に、あるＲＶシーケンスについて、これらのＲＶの一部又は全ては、ＲＶ０（ＲＶ０は、通常は自己復号化可能である）なしで自己復号化可能でないことがある。異なるリダンダンシバージョン（ＲＶ）番号によれば、チャネル符号化のレートマッチング出力ビットシーケンスは異なる。全てのＲＶが自己復号化可能であるわけではない（すなわち、それは、特定のＲＶの出力ビットシーケンスにより情報ビットを回復することができない）。例えば、ＲＶ番号は、０、１、２、又は３であることができる。あるチャネル符号設計によれば、ＲＶ０が自己復号化可能である。他のチャネル符号設計によれば、ＲＶ０及びＲＶ３が自己復号化可能である。結果として、ＵＥトラフィック到着が１つの初期伝送機会を逃すが、ＲＶシーケンスが全て自己復号化可能である（例えば、｛０，０，０，０｝のＲＶシーケンス）場合に、ＵＥは、最も早い利用可能な繰り返し伝送機会においてパケットを正しく伝送することができる。そうでない場合には、ＵＥは、次に利用可能な初期伝送機会を待つ必要がある。即座の伝送を行うべきか、それとも、次の初期伝送機会を待つべきか否かは、どのＲＶシーケンスがＵＥに対して設定されているかに依存する。
【００３９】
いくつかの実施形態で、設定のために使用される３つのＲＶシーケンスオプションが存在し、３つのオプションは、シーケンス１（｛０，２，３，１｝）、シーケンス２（｛０，３，０，３｝）、及びシーケンス３（｛０，０，０，０｝）を含む。第１のオプション、ＲＶシーケンス１が設定される場合に、ＵＥは、ＵＥが１つの初期伝送機会を逃すならば、そのパケット伝送のために次の初期伝送機会を待ち、そうでない場合には、全てのＲＶが自己復号化可能であり、ＵＥは、如何なる繰り返し伝送機会でもデータ伝送を開始する。
【００４０】
いくつかの実施形態で、設定のために使用される３つのＲＶシーケンスオプション、すなわち、シーケンス１（｛０，２，３，１｝）、シーケンス２（｛０，３，０，３｝）、及びシーケンス３（｛０，０，０，０｝）が存在する。第１のＲＶシーケンス１又は第２のＲＶシーケンス２が設定される場合に、１つの初期伝送機会を逃すならば、ＵＥは、そのパケット伝送のために次の初期伝送機会を待ち、そうでない場合には、全てのＲＶが自己復号化可能であり、ＵＥは、如何なる繰り返し伝送機会でもデータ伝送を開始する。
【００４１】
いくつかの実施形態で、ＵＥは、設定されたＲＶシーケンスと結び付けずに、如何なる繰り返し伝送機会でもデータ伝送を開始することができる。この場合に、基地局は、ＲＶが事前の関連付けによって知られているので、可能なＨＡＲＱソフトコンバイニングにより全ての受信信号を記憶する。
【００４２】
他の実施形態では、ＵＥは、初期伝送機会から常にデータ伝送を開始することができる。初期伝送機会がトラフィック到着時に逃される場合に、ＵＥは次の初期伝送機会を待つ。
【００４３】
許可不要（ＧＦ）アップリンク（ＵＬ）伝送は、リソース周期性（Ｐ）及び繰り返し（Ｋ）により設定され得る。周期Ｐ内で、同じＴＢの伝送のためにＫ回の繰り返しが存在し得る。
【００４４】
Ｋ（すなわち、繰り返し）が使用される場合に、ＵＥは、４つの異なるＲＶバージョンをサポートすることを例としながら、次の３つのリダンダンシバージョン（ＲＶ）シーケンスのうちの１つにより設定され得る：
・シーケンス１：｛０，２，３，１｝
・シーケンス２：｛０，３，０，３｝、又は
・シーケンス３：｛０，０，０，０｝。
ここで、０、１、２、及び３は、リダンダンシバージョン番号であり、一般に、夫々、ＲＶ０、ＲＶ１、ＲＶ２、及びＲＶ３と記述され得る。
【００４５】
異なるＲＶ番号によれば、レートマッチング出力ビットシーケンスは異なる。全てのＲＶ自己復号化可能であるわけではない（それは、特定のＲＶの出力ビットシーケンスにより情報ビットを回復することができない）。
【００４６】
ＵＬ許可なしのＵＬ伝送の場合に、ＵＥが｛０，２，３，１｝のＲＶシーケンスにより設定される場合を除いて、ＴＢのＫ回の繰り返しの初期伝送は、周期Ｐ内の如何なる伝送機会（ＴＯ）でも開始可能であり、繰り返しは、周期Ｐ内の最後の伝送機会で終了する。
【００４７】
ＵＥが｛０，２，３，１｝のＲＶシーケンスにより設定される場合に、伝送ブロック（ＴＢ）のＫ回の繰り返しの初期伝送は、周期内の最初のＴＯで開始すべきである。ＲＶシーケンスは、繰り返しバンドルの最初の伝送機会から開始し、ＵＥは、繰り返しが起こる伝送機会に基づいて、繰り返しごとにＲＶ値を決定する。初期伝送のために使用されるＲＶは、次のように決定される：周期内のｎ番目の伝送機会は、ＲＶシーケンスのうちのｍｏｄ（ｎ，４）番目のＲＶである。
【００４８】
許可不要伝送の場合に、特定のリダンダンシバージョンのみが受信されることが可能である。図３Ａ〜３Ｉは、開始点（すなわち、初期伝送タイミング（又はＴＯ））がＲＶシーケンスに基づいて決定されるところのいくつかの例となる実施形態を示す。伝送されるべきデータの第１ＲＶは、初期伝送ＴＯにおいて送信される。
【００４９】
図３Ａで、Ｋが２に等しく、ＲＶシーケンスが｛０，２，３，１｝であるよう設定されるとき、伝送の開始点は、周期内の最初のＴＯのみであることができる。例えば、パケット到着３０８のためのデータの伝送の開始点は、周期３０２のＴＯ＝０であることができるが、周期３０２のＴＯ＝１であることはできない。パケット到着３１０のためのデータの伝送の開始点は、周期３０４のＴＯ＝０であることができるが、周期３０２のＴＯ＝１又は周期３０４のＴＯ＝１であることはできない。パケット到着３１３０のためのデータの伝送の開始点は、周期３０４のＴＯ＝０であることができるが、周期３０４のＴＯ＝１であることはできない。
【００５０】
図３Ｂで、Ｋが２に等しく、ＲＶシーケンスが｛０，３，０，３｝であるよう設定されるとき、伝送の開始点は、周期内のいずれのＴＯでもあることができる。
【００５１】
図３Ｃで、Ｋが２に等しく、ＲＶシーケンスが｛０，０，０，０｝であるよう設定されるとき、伝送の開始点は、周期内のいずれのＴＯでもあることができる。
【００５２】
図３Ｄで、Ｋが４に等しく、ＲＶシーケンスが｛０，２，３，１｝であるよう設定されるとき、伝送の開始点は、周期内の最初のＴＯのみであることができる。
【００５３】
図３Ｅで、Ｋが４に等しく、ＲＶシーケンスが｛０，３，０，３｝であるよう設定されるとき、伝送の開始点は、周期内のいずれのＴＯでもあることができる。
【００５４】
図３Ｆで、Ｋが４に等しく、ＲＶシーケンスが｛０，０，０，０｝であるよう設定されるとき、伝送の開始点は、周期内のいずれのＴＯでもあることができる。
【００５５】
図３Ｇで、Ｋが８に等しく、ＲＶシーケンスが｛０，２，３，１｝であるよう設定されるとき、伝送の開始点は、周期内の最初のＴＯのみであることができる。
【００５６】
図３Ｈで、Ｋが８に等しく、ＲＶシーケンスが｛０，３，０，３｝であるよう設定されるとき、伝送の開始点は、周期内のいずれのＴＯでもあることができる。
【００５７】
図３Ｉで、Ｋが８に等しく、ＲＶシーケンスが｛０，０，０，０｝であるよう設定されるとき、伝送の開始点は、周期内のいずれのＴＯでもあることができる。
【００５８】
図４Ａ〜４Ｋは、開始点（すなわち、初期伝送タイミング（又はＴＯ））がＴＯでのＲＶに基づき決定されるところのいくつかの例となる実施形態を示す。伝送されるべきデータの第１ＲＶは、初期伝送ＴＯにおいて送信される。
【００５９】
図４Ａで、Ｋが２に等しく、ＲＶシーケンスが｛０，２，３，１｝であるよう設定されるとき、伝送の開始点は、ＲＶ０を有するＴＯ（すなわち、周期内の最初のＴＯ）のみであることができる。例えば、パケット到着４０８のためのデータの伝送の開始点は、周期４０２のＴＯ＝０であることができるが、周期４０２のＴＯ＝１であることはできない。パケット到着４１０のためのデータの伝送の開始点は、周期４０４のＴＯ＝０であることができるが、周期４０２のＴＯ＝１又は周期４０４のＴＯ＝１であることはできない。パケット到着４１２のためのデータの伝送の開始点は、周期４０４のＴＯ＝０であることができるが、周期４０４のＴＯ＝１であることはできない。
【００６０】
図４Ｂで、Ｋが２に等しく、ＲＶシーケンスが｛０，３，０，３｝であるよう設定されるとき、伝送の開始点は、ＲＶ０を有するＴＯ（すなわち、周期内の最初のＴＯ）のみであることができる。
【００６１】
図４Ｃで、Ｋが２に等しく、ＲＶシーケンスが｛０，３，０，３｝であるよう設定されるとき、伝送の開始点は、ＲＶ０又はＲＶ３を有するＴＯで（すなわち、周期内のいずれのＴＯでも）あることができる。
【００６２】
図４Ｄで、Ｋが２に等しく、ＲＶシーケンスが｛０，０，０，０｝であるよう設定されるとき、伝送の開始点は、ＲＶ０を有するＴＯのみで（すなわち、周期内のいずれのＴＯでも）あることができる。
【００６３】
図４Ｅで、Ｋが４に等しく、ＲＶシーケンスが｛０，２，３，１｝であるよう設定されるとき、伝送の開始点は、ＲＶ０を有するＴＯ（すなわち、周期内の最初のＴＯ）のみであることができる。
【００６４】
図４Ｆで、Ｋが４に等しく、ＲＶシーケンスが｛０，２，３，１｝であるよう設定されるとき、伝送の開始点は、ＲＶ０又はＲＶ３を有するＴＯ（すなわち、周期内の最初又は３番目のＴＯ）のみであることができる。
【００６５】
図４Ｇで、Ｋが４に等しく、ＲＶシーケンスが｛０，３，０，３｝であるよう設定されるとき、伝送の開始点は、ＲＶ０を有するＴＯ（すなわち、周期内の最初又は３番目のＴＯ）のみであることができる。
【００６６】
図４Ｈで、Ｋが４に等しく、ＲＶシーケンスが｛０，３，０，３｝であるよう設定されるとき、伝送の開始点は、ＲＶ０又はＲＶ３を有するＴＯで（すなわち、周期内のいずれのＴＯでも）あることができる。
【００６７】
図４Ｉで、Ｋが４に等しく、ＲＶシーケンスが｛０，０，０，０｝であるよう設定されるとき、伝送の開始点は、ＲＶ０を有するＴＯのみで（すなわち、周期内のいずれのＴＯでも）あることができる。
【００６８】
図４Ｊで、Ｋが８に等しく、ＲＶシーケンスが｛０，２，３，１｝であるよう設定されるとき、伝送の開始点は、ＲＶ０を有するＴＯ（すなわち、周期内の最初又は５番目のＴＯ）のみであることができる。
【００６９】
図４Ｋで、Ｋが８に等しく、ＲＶシーケンスが｛０，２，３，１｝であるよう設定されるとき、伝送の開始点は、ＲＶ０又はＲＶ３を有するＴＯ（すなわち、周期内の最初、３番目、５番目、又は７番目のＴＯ）のみであることができる。
【００７０】
図５Ａ〜５Ｂは、開始点（すなわち、初期伝送タイミング（又はＴＯ））がタイマ及び繰り返しの数に基づき決定されるところのいくつかの例となる実施形態を示す。伝送されるべきデータの第１ＲＶは、初期伝送ＴＯにおいて送信される。
【００７１】
図５Ａで、遅延センシティブなトラフィックの場合に、１つ以上の遅延タイマが存在し得る。遅延タイマは、パケットが到着するときに起動する。タイマ値は、パケットの対応する要件に関連する。各パケットの伝送は、対応する遅延タイマが経過するときに終了する。繰り返しはまた、ＡＣＫ又は許可が伝送中に受信される場合に早く終了され得る。
【００７２】
図５Ｂで、いつＵＥが伝送を開始しようとも、繰り返しの数は４である。繰り返しはまた、ＡＣＫ又は許可が伝送中に受信される場合に早く終了され得る。
【００７３】
図６Ａは、いくつかの実施形態に従って、初期許可不要伝送の決定のための方法６００のフローチャートを表す。方法６００は、図１のＥＤ１１０のようなＵＥによって実行又は実施されてよい。方法６００はまた、ＵＥの１つ以上のプロセッサによって実行されるソフトウェアのルーチン、サブルーチン、又はモジュールによって実行又は実施されてもよい。方法６００を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。ＵＥの１つ以上のプロセッサによって実行可能なソフトウェアのコンピュータ可読コード又は命令は、例えば、ＵＥのメモリなどの、非一時的なコンピュータ可読媒体に記憶されてよい。
【００７４】
方法６００は、動作６０２から開始し、このとき、ＵＥは、許可不要（ＧＦ）伝送のためのリソース設定を受け取る。リソース設定は、周期性パラメータ（Ｐ）と、繰り返し回数（Ｋ）と、及び１つ以上のＲＶタイプに対応するリダンダンシバージョン（ＲＶ）番号の連続を有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００７５】
いくつかの実施形態で、ＲＶ番号の連続は、｛０，３，０，３｝を有する。ここで、連続の中の０は、ＲＶ０に対応し、連続の中の３は、ＲＶ３に対応する。Ｋ回のＴＯは、連続的又は離散的である
【００７６】
いくつかの実施形態で、ＲＶ番号の連続のサイズは、４である。Ｋ回のＴＯのうちのｎ番目のＴＯは、ＲＶ番号の連続のうちの（ｎ  ｍｏｄ  ４）番目のＲＶ番号と関連付けられている。ここで、ｎは、０以上の整数であり、ｎは、Ｋ−１以下である。
【００７７】
動作６０４で、ＵＥは、周期性パラメータによって定義された周期内のＫ回のＴＯのうちのあるＴＯにおいて、データの初期ＧＦ伝送を行う。そのＴＯは、ＲＶ０に対応するＲＶ番号と関連付けられている。
【００７８】
いくつかの実施形態で、ＵＥは、データの多くてもＫ回のＧＦ伝送のためにデータの１回以上の新たな初期ＧＦ伝送を実行する。あるいは、ＵＥは、周期性パラメータによって定義された周期内のＫ回のＴＯのうちの最後のＴＯでデータの１回以上の新たな初期ＧＦ伝送を終了する。Ｋは、２、４、又は８である。
【００７９】
図６Ｂは、いくつかの実施形態に従って、初期許可不要伝送の決定のための方法６５０のフローチャートを表す。方法６５０は、図１のＥＤ１１０のようなＵＥによって実行又は実施されてよい。方法６５０はまた、ＵＥの１つ以上のプロセッサによって実行されるソフトウェアのルーチン、サブルーチン、又はモジュールによって実行又は実施されてもよい。方法６５０を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。ＵＥの１つ以上のプロセッサによって実行可能なソフトウェアのコンピュータ可読コード又は命令は、例えば、ＵＥのメモリなどの、非一時的なコンピュータ可読媒体に記憶されてよい。
【００８０】
方法６５０は、動作６５２から開始し、このとき、ＵＥは、許可不要（ＧＦ）伝送のためのリソース設定を受け取る。リソース設定は、周期性パラメータ（Ｐ）と、繰り返し回数（Ｋ）と、｛０，２，３，１｝を有するリダンダンシバージョン（ＲＶ）番号の連続とを有する。ここで、連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００８１】
いくつかの実施形態で、Ｋは、４よりも小さい整数である。ＴＯは、そのＴＯにおいてデータのＧＦ伝送のために使用されるＲＶに対応するＲＶ番号の連続のうちの（ｎ  ｍｏｄ  ４）番目のＲＶ番号と関連付けられたＫ回のＴＯのうちのｎ番目のＴＯである。ｎは、０以上の整数であり、ｎは、Ｋ−１以下である。Ｋ回のＴＯは、連続的又は離散的である。
【００８２】
動作６５４で、ＵＥは、ＲＶ番号の連続のうちのあるＲＶ番号に対応するＲＶを用いて、周期性パラメータによって定義された周期内のＫ回のＴＯのうちのあるＴＯにおいて、データの初期ＧＦ伝送を行う。ＲＶは、ＲＶ番号の連続のサイズ及びＫ回のＴＯの位置に基づく。
【００８３】
いくつかの実施形態で、ＵＥは、データの多くてもＫ回のＧＦ伝送のためにデータの１回以上の新たな初期ＧＦ伝送を実行する。あるいは、ＵＥは、周期性パラメータによって定義された周期内のＫ回のＴＯのうちの最後のＴＯでデータの１回以上の新たな初期ＧＦ伝送を終了する。
【００８４】
図７Ａは、いくつかの実施形態に従って、初期許可不要伝送の決定のための方法７００のフローチャートを表す。方法７００は、図１の基地局１７０のような基地局によって実行又は実施されてよい。方法７００はまた、基地局の１つ以上のプロセッサによって実行されるソフトウェアのルーチン、サブルーチン、又はモジュールによって実行又は実施されてもよい。方法７００を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。基地局の１つ以上のプロセッサによって実行可能なソフトウェアのコンピュータ可読コード又は命令は、例えば、ＵＥのメモリなどの、非一時的なコンピュータ可読媒体に記憶されてよい。
【００８５】
方法７００は、動作７０２から開始し、このとき、基地局は、許可不要（ＧＦ）伝送のためのリソース設定を送る。リソース設定は、周期性パラメータ（Ｐ）と、繰り返し回数（Ｋ）と、及び１つ以上のＲＶタイプに対応するリダンダンシバージョン（ＲＶ）番号の連続を有する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００８６】
いくつかの実施形態で、ＲＶ番号の連続は、｛０，３，０，３｝を有する。ここで、連続の中の０は、ＲＶ０に対応し、連続の中の３は、ＲＶ３に対応する。Ｋ回のＴＯは、連続的又は離散的である
【００８７】
いくつかの実施形態で、ＲＶ番号の連続のサイズは、４である。Ｋ回のＴＯのうちのｎ番目のＴＯは、ＲＶ番号の連続のうちの（ｎ  ｍｏｄ  ４）番目のＲＶ番号と関連付けられている。ここで、ｎは、０以上の整数であり、ｎは、Ｋ−１以下である。
【００８８】
動作７０４で、基地局は、周期性パラメータによって定義された周期内のＫ回のＴＯのうちのあるＴＯにおいて、データの初期ＧＦ伝送を受信する。そのＴＯは、ＲＶ０に対応するＲＶ番号と関連付けられている。
【００８９】
いくつかの実施形態で、基地局は、データの多くてもＫ回のＧＦ伝送のためにデータの１回以上の新たな初期ＧＦ伝送を受信する。あるいは、データの１回以上の新たな初期ＧＦ伝送は、周期性パラメータによって定義された周期内のＫ回のＴＯのうちの最後のＴＯで終了されてよい。Ｋは、２、４、又は８である。
【００９０】
図７Ｂは、いくつかの実施形態に従って、初期許可不要伝送の決定のための方法７５０のフローチャートを表す。方法７５０は、図１の基地局１７０のような基地局によって実行又は実施されてよい。方法７５０はまた、基地局の１つ以上のプロセッサによって実行されるソフトウェアのルーチン、サブルーチン、又はモジュールによって実行又は実施されてもよい。方法７５０を実行又は実施するためのソフトウェアの符号化は、本開示に関連した技術において通常の知識を有する者の範囲内にある。方法は、図示及び記載されているものと比べて追加の又はより少ない動作を含んでよく、異なる順序で実行又は実施されてもよい。基地局の１つ以上のプロセッサによって実行可能なソフトウェアのコンピュータ可読コード又は命令は、例えば、ＵＥのメモリなどの、非一時的なコンピュータ可読媒体に記憶されてよい。
【００９１】
方法７５０は、動作７５２から開始し、このとき、基地局は、許可不要（ＧＦ）伝送のためのリソース設定を送る。リソース設定は、周期性パラメータ（Ｐ）と、繰り返し回数（Ｋ）と、｛０，２，３，１｝を有するリダンダンシバージョン（ＲＶ）番号の連続とを有する。ここで、連続の中の０はＲＶ０に対応し、連続の中の１はＲＶ１に対応し、連続の中の２はＲＶ２に対応し、連続の中の３はＲＶ３に対応する。周期性パラメータは、Ｋ回の伝送機会（ＴＯ）を有する周期を定義し、Ｋ回のＴＯの夫々は、ＲＶ番号の連続のうちの１つのＲＶ番号と関連付けられている。
【００９２】
いくつかの実施形態で、Ｋは、４よりも小さい整数である。ＴＯは、そのＴＯにおいてデータのＧＦ伝送のために使用されるＲＶに対応するＲＶ番号の連続のうちの（ｎ  ｍｏｄ  ４）番目のＲＶ番号と関連付けられたＫ回のＴＯのうちのｎ番目のＴＯである。ｎは、０以上の整数であり、ｎは、Ｋ−１以下である。Ｋ回のＴＯは、連続的又は離散的である。
【００９３】
動作７５４で、基地局は、ＲＶ番号の連続のうちのあるＲＶ番号に対応するＲＶを用いて、周期性パラメータによって定義された周期内のＫ回のＴＯのうちのあるＴＯにおいて、データの初期ＧＦ伝送を受信する。ＲＶは、ＲＶ番号の連続のサイズ及びＫ回のＴＯの位置に基づく。
【００９４】
いくつかの実施形態で、基地局は、データの多くてもＫ回のＧＦ伝送のためにデータの１回以上の新たな初期ＧＦ伝送を受信する。あるいは、データの１回以上の新たな初期ＧＦ伝送は、周期性パラメータによって定義された周期内のＫ回のＴＯのうちの最後のＴＯで終了されてよい。
【００９５】
図８は、本願で開示されるデバイス及び方法を実装するために使用され得るコンピュータシステム８００のブロック図である。例えば、コンピュータシステムは、ＵＥ、ＡＮ、ＭＭ、ＳＭ、ＵＰＧＷ、ＡＳ、ＢＳ、ｅＮｏｄｅＢ、ＴＲＰ（transmit-receive  point）、などの如何なるエンティティであることもできる。具体的なデバイスは、図示されている全ての構成要素、又は構成要素の一部のみを利用してよく、集積の程度は、デバイスごとに異なってよい。更に、デバイスは、複数のプロセッサ、メモリ、送信器、受信器、などのような、構成要素の複数のインスタンスを含んでもよい。そのようなデバイスは、ＵＥ、ＡＮ、ＭＭ、ＳＭ、ＵＰＧＷ、ＡＳ、ＢＳ、ｅＮｏｄｅＢ、ＴＲＰ（transmit-receive  point）、などの如何なるエンティティであることもできる。コンピュータシステム８００は、プロセッサ８０２を含む。プロセッサは、中央プロセッサ（ＣＰＵ）８１４及びメモリ８０８を含んでよく、更には、バスへ接続された大容量記憶デバイス８０４、ビデオアダプタ８１０及び／又はＩ／Ｏインターフェイス８１２を含んでもよい。
【００９６】
バス８２０は、メモリバス若しくはメモリコントローラ、ペリフェラルバス、又はビデオバスを含むあらゆるタイプのいくつかのバスアーキテクチャの１つ以上であってよい。ＣＰＵ８１４は、如何なるタイプの電子データプロセッサも有してよい。メモリ８０８は、静的ランダム・アクセス・メモリ（static  random  access  memory，ＳＲＡＭ）、動的ランダム・アクセス・メモリ（dynamic  random  access  memory，ＤＲＡＭ）、同期ＤＲＡＭ（synchronous  DRAM，ＳＤＲＡＭ）、リード・オンリー・メモリ（ＲＯＭ）、又はそれらの組み合わせなどのあらゆるタイプの非一時的なシステムメモリを有してもよい。実施形態において、メモリ８０８は、起動時に使用されるＲＯＭと、プログラム実行中に使用されるプログラム及びデータ記憶のためのＤＲＡＭとを含んでよい。
【００９７】
大容量ストレージ８０４は、データ、プログラム、及び他の情報を記憶するよう、かつ、データ、プログラム、及び他の情報をバス８２０を介してアクセス可能にするよう構成されたあらゆるタイプの非一時的な記憶デバイスを有してもよい。大容量ストレージ８０４は、例えば、ソリッドステートドライブ、ハードディスクドライブ、磁気ディスクドライブ、又は光ディスクドライブのうちの１つ以上を有してよい。
【００９８】
ビデオアダプタ８１０及びＩ／Ｏインターフェイス８１２は、外部の入力及び出力デバイスをプロセッサ８０２へ結合するようインターフェイスを提供する。表されているように、入力及び出力デバイスの例は、ビデオアダプタへ結合されているディスプレイ８１８と、Ｉ／Ｏインターフェイス８１２へ結合されているマウス／キーボード／プリンタ８１６とを含む。他のデバイスがプロセッサ８０２へ結合されてもよく、追加の又はより少ないインターフェイスカードが利用されてよい。例えば、ユニバーサル・シリアル・バス（Universal  Serial  Bus，ＵＳＢ）（図示せず）などのシリアルインターフェイスが、外部デバイスのためのインターフェイスを提供するために使用されてよい。
【００９９】
プロセッサ８０２はまた、１つ以上のネットワークインターフェイス８０６を含み、ネットワークインターフェイス８０６は、ノード又は異なるネットワークにアクセスするための、Ｅｔｈｅｒｎｅｔケーブルなどの有線リンク、及び／又は無線リンクを有してよい。ネットワークインターフェイス８０６は、プロセッサ８０２がネットワークを介して遠隔ユニットと通信することを可能にする。例えば、ネットワークインターフェイス８０６は、１つ以上の送信器／送信アンテナ及び１つ以上の受信器／受信アンテナを介して無線通信を提供し得る。実施形態において、プロセッサ８０２は、データ処理、及び他のプロセッサ、インターネット、又は遠隔の記憶接続などの遠隔のデバイスとの通信のために、ローカル・エリア・ネットワーク８２２又はワイド・エリア・ネットワークへ結合されている。
【０１００】
バス８２０及び／又はメモリ８０８は、プロセッサがハードウェアによって、例えば、集積回路又は論理回路を用いて実装される場合に、存在しなくてもよいことに留意されたい。
【０１０１】
本願で提供される実施形態の方法の１つ以上のステップは、対応するユニット又はモジュールによって実行されてよいことが認識されるべきである。例えば、信号は、送信ユニット又は送信モジュールによって送信されてよい。信号は、受信ユニット又は受信モジュールによって受信されてよい。信号は、プロセッサ又は処理モジュールによって処理されてよい。他のステップは、サービングクラスタを構築する構築ユニット／モジュール、インスタンス化ユニット／モジュール、セッションリンクを確立する確立ユニット／モジュール、保守ユニット／モジュール、又は上記のステップを実行する他の実行ユニット／モジュールによって実行されてよい。各々のユニット／モジュールは、ハードウェア、ソフトウェア、又はそれらの組み合わせであってよい。例えば、ユニット／モジュールの１つ以上は、フィールド・プログラマブル・ゲート・アレイ（field  programmable  gate arrays，ＦＰＧＡ）又は特定用途向け集積回路（application-specific  integrated  circuits，ＡＳＩＣ）などの集積回路であってよい。
【０１０２】
図９は、ホストデバイスに設置され得る、本願で記載される方法を実行する処理システム９００の実施形態のブロック図を表す。図示されるように、処理システム９００は、図９に示されるように配置され得る（あるいは、されなくてもよい）プロセッサ９０４、メモリ９０６、及びインターフェイス９１０〜９１４を含む。プロセッサ９０４は、タスクに関連した演算及び／又は他の処理を実行するよう適応された任意の構成要素又は構成要素の集合であってよく、メモリ９０６は、プロセッサ９０４によって実行されるプログラミング及び／又は命令を記憶するよう適応された任意の構成要素及び／又は構成要素の集合であってよい。実施形態において、メモリ９０６は、非一時的なコンピュータ可読媒体を含む。インターフェイス９１０、９１２、９１４は、処理システム９００が他のデバイス／構成要素及び／又はユーザと通信することを可能にする任意の構成要素又は構成要素の集合であってよい。例えば、インターフェイス９１０、９１２、９１４の１つ以上は、プロセッサ９０４から、ホストデバイスにインストールされたアプリケーション及び／又は遠隔のデバイスへデータ、制御、又は管理メッセージを送るよう適応されてよい。他の例として、インターフェイス９１０、９１２、９１４の１つ以上は、ユーザ／ユーザデバイス（例えば、パーソナル・コンピュータ（personal  computer，ＰＣ）など）が処理システム９００と相互作用／通信することを可能にするよう適応されてよい。処理システム９００は、長期ストレージ（例えば、不揮発性メモリなど）のような、図９に表されていない追加の構成要素を含んでもよい。
【０１０３】
いくつかの実施形態で、処理システム９００は、電気通信網にアクセスしているか、又は別なふうにその部分であるネットワークデバイスに含まれる。一例において、処理システム９００は、電気通信網内の基地局、中継局、スケジューラ、コントローラ、ゲートウェイ、ルータ、アプリケーションサーバ、又は何らかの他のデバイスなどの、無線又は有線電気通信網内のネットワーク側デバイスにある。他の実施形態では、処理システム９００は、電気通信網内の移動局（ＳＴＡ）、ユーザ機器（ＵＥ）、パーソナル・コンピュータ（ＰＣ）、タブレット、ウェアラブル通信デバイス（例えば、スマートウォッチ）、又は何らかの他のデバイスなどの、無線又は有線電気通信網にアクセスするユーザ側デバイスにある。
【０１０４】
いくつかの実施形態で、インターフェイス９１０、９１２、９１４の１つ以上は、電気通信網にわたってシグナリングを送信及び受信するよう適応されたトランシーバへ処理システム９００を接続する。図１０は、電気通信網にわたってシグナリングを送信及び受信するよう適応されたトランシーバ１０００のブロック図を表す。トランシーバ１０００は、ホストデバイスに設置されてよい。図示されるように、トランシーバ１０００は、ネットワーク側インターフェイス１００２、結合器１００４、送信器１００６、受信器１００８、信号プロセッサ１０１０、及びデバイス側インターフェイス１０１２を有する。ネットワーク側インターフェイス１００２は、無線又は有線電気通信網にわたってシグナリングを送信又は受信するよう適応された任意の構成要素又は構成要素の集合を含んでよい。結合器１００４は、ネットワーク側インターフェイス１００２を介した双方向通信を容易にするよう適応された任意の構成要素又は構成要素の集合を含んでよい。送信器１００６は、ベースバンド信号を、ネットワーク側インターフェイス１００２を介した伝送に適した変調されたキャリア信号に変換するよう適応された任意の構成要素又は構成要素の集合（例えば、アップコンバータ、電力増幅器、など）を含んでよい。受信器１００８は、ネットワーク側インターフェイス１００２を介して受信されたキャリア信号をベースバンド信号に変換するよう適応された任意の構成要素又は構成要素の集合（例えば、ダウンコンバータ、低雑音増幅器、など）を含んでよい。信号プロセッサ１０１０は、ベースバンド信号を、デバイス側インターフェイス１０１２を介した通信に適したデータ信号に、又はその逆も同様に変換するよう適応された任意の構成要素又は構成要素の集合を含んでよい。デバイス側インターフェイス１０１２は、信号プロセッサ１０１０とホストデバイス内の構成要素（例えば、処理システム、ローカル・エリア・ネットワーク（local  area  network，ＬＡＮ）ポートなど）との間でデータ信号を通信するよう適応された任意の構成要素又は構成要素の集合を含んでよい。
【０１０５】
トランシーバ１０００は、如何なるタイプの通信媒体上でもシグナリングを送信又は受信してよい。いくつかの実施形態で、トランシーバ１０００は、無線媒体を介してシグナリングを送信及び受信する。例えば、トランシーバ１０００は、セルラープロトコル（例えば、ロング・ターム・エボリューション（long-term  evolution，ＬＴＥ）など）、無線ローカル・エリア・ネットワーク（wireless  local  area  network，ＷＬＡＮ）プロトコル（例えば、Ｗｉ−Ｆｉなど）、又は何らかの他のタイプの無線プロトコル（例えば、Ｂｌｕｅｔｏｏｔｈ、近距離通信（near  field  communication，ＮＦＣ）など）のような無線電気通信プロトコルに従って通信するよう適応された無線トランシーバであってよい。
【０１０６】
そのような実施形態で、ネットワーク側インターフェイス１００２は、１つ以上のアンテナ／放射要素を有する。例えば、ネットワーク側インターフェイス１００２は、単一のアンテナ、複数の別個のアンテナ、又はマルチレイヤ通信のために構成されたマルチアンテナアレイ、例えば、単入力多出力（single  input  multiple  output，ＳＩＭＯ）、多入力単出力（multiple  input  single  output，ＭＩＳＯ）、多入力多出力（ＭＩＭＯ）、などを含んでよい。他の実施形態では、トランシーバ１０００は、有線媒体、例えば、ツイストペアケーブル、同軸ケーブル、光ファイバ、などを介してシグナリングを送信及び受信する。具体的な処理システム及び／又はトランシーバは、図示されている全ての構成、又は構成要素の一部のみを利用してよく、集積の程度は、デバイスごとに異なってよい。
【０１０７】
本願で提供される実施形態の方法の１つ以上のステップは、対応するユニット又はモジュールによって実行されてよいことが認識されるべきである。例えば、信号は、送信ユニット又は送信モジュールによって送信されてよい。信号は、受信ユニット又は受信モジュールによって受信されてよい。信号は、処理ユニット又は処理モジュールによって処理されてよい。他のステップは、サービングクラスタを構築する構築ユニット／モジュール、インスタンス化ユニット／モジュール、セッションリンクを確立する確立ユニット／モジュール、保守ユニット／モジュール、又は上記のステップを実行する他の実行ユニット／モジュールによって実行されてよい。各々のユニット／モジュールは、ハードウェア、ソフトウェア、又はそれらの組み合わせであってよい。例えば、ユニット／モジュールの１つ以上は、フィールド・プログラマブル・ゲート・アレイ（ＦＰＧＡ）又は特定用途向け集積回路（ＡＳＩＣ）などのチップ又は集積回路であってよい。また、１つ以上のプロセッサによって実行可能なソフトウェアのコンピュータ可読コード又は命令は、例えば、ＵＥ又は基地局のメモリなどの、非一時的なコンピュータ可読媒体に記憶されてよい。
【０１０８】
本発明は、実例となる実施形態を参照して記載されてきたが、本明細書は、限定の意味において解釈される意図はない。実例となる実施形態の変更及び組み合わせ、並びに本発明の他の実施形態は、本明細書を読むことで当業者に明らかであろう。従って、添付の特許請求の範囲は、如何なるそのような変更又は実施形態も包含することが意図される。
【０１０９】
関連出願の相互参照
本願は、２０１８年１１月２０日付けで「Methods,  Devices  and  Systems  for  Initial  Grant-Free  Transmission  Determination」と題されて出願された米国特許出願第１６／１９６３４２号、及び２０１７年１２月１日付けで「Methods,  Devices  and  Systems  for  Initial  Grant-Free  Transmission  Determination」と題されて出願された米国特許仮出願第６２／５９３８２７号の優先権を主張する。なお、これらの特許出願は、これをもってその全文を参照により本願に援用される。
【国際調査報告】
2021505084.tif 000035
2021505084.tif 000036